(57)【要約】  本出願に係る実施例は、無線通信技術分野に関し、特に、セミパーシステントスケジューリングを設定・確定する方法及び装置にかんし、従来のＬＴＥ ＳＰＳのままでＶ２Ｘ通信に用いると、リソース浪費またはオーバーヘッド増大となる従来の技術の問題点を解決できる。本出願の実施例に係るネットワーク前記ネットワーク側装置は、ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する。ＰＤＣＣＨシグナリングを介して端末のために複数のＳＰＳ構成を設定することができるため、背景技術に記載の、１組のＳＰＳ構成のみを設定することと比べ、ＳＰＳ構成の数を増やし、リソース浪費及びオーバーヘッドを低減し、システム性能をさらに向上する。
2019509692.tif 000002
【特許請求の範囲】
【請求項１】
ネットワーク装置は、複数のセミパーシステントスケジューリングＳＰＳ構成に対応するＳＰＳＣ−ＲＮＴＩＣ−ＲＮＴＩを確定するステップと、
前記ネットワーク装置ＳＰＳ Ｃ−ＲＮＴＩによってスクランブルされた物理ダウンリンク制御チャネル（ＰＤＣＣＨ）シグナリングを介して、複数のＳＰＳ構成に対応するＳＰＳ周期および/または複数のＳＰＳ構成に対応するＳＰＳ周波数領域リソース設定情報を端末に送信するステップとを備えることを特徴とするセミパーシステントスケジューリングを設定する方法。
【請求項２】
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信し、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、
前記ネットワーク装置は、無線リソース制御ＲＲＣシグナリングを介して、複数のＳＰＳ構成それぞれに対応するＳＰＳ周期を端末に送信することを特徴とする請求項１に記載のセミパーシステントスケジューリングを設定する方法。
【請求項３】
前記ネットワーク装置は、ＲＲＣシグナリングを介して、複数のＳＰＳ構成それぞれに対応するＳＰＳ周期を端末に送信する場合、
同様なＳＰＳ周期であれば、前記ネットワーク装置は、ＲＲＣシグナリングごとに前記同様なＳＰＳ周期を含ませることを特徴とする請求項２に記載のセミパーシステントスケジューリングを設定する方法。
【請求項４】
全部または一部のＳＰＳ構成に対応するＳＰＳ周期は同様であり、
前記ネットワーク側装置は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、
同様なＳＰＳ周期であれば、前記ネットワーク装置は、ＰＤＣＣＨシグナリングごとに、１つの前記同様なＳＰＳ周期を含ませることを特徴とする請求項１に記載のセミパーシステントスケジューリングを設定する方法。
【請求項５】
複数のＳＰＳ構成に対応するＳＰＳ周期は全く同じではなく、
前記ネットワーク装置が、複数のＳＰＳ構成に対応するＳＰＳ周波数領域リソース設定情報を端末に送信する前、
前記ネットワーク装置は、ＰＤＣＣＨシグナリングに、ＳＰＳ周期とＳＰＳ周波数領域リソース設定情報の対応関係を含ませることを特徴とする請求項１または請求項４に記載のセミパーシステントスケジューリングを設定する方法。
【請求項６】
全部または一部のＳＰＳ構成に対応するＳＰＳ周波数領域リソース設定情報は同様であり、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、
同様なＳＰＳ周波数領域リソース設定情報に対し、前記ネットワーク装置は、ＰＤＣＣＨシグナリングごとに、１つの前記同様なＳＰＳ周波数領域リソース設定情報を含ませることを特徴とする請求項１に記載のセミパーシステントスケジューリングを設定する方法。
【請求項７】
前記ネットワーク装置が、複数のＳＰＳ構成に対応するＳＰＳ周波数領域リソース設定情報を端末に送信する前、
前記ネットワーク装置は、前記ＰＤＣＣＨシグナリングに、ＳＰＳ構成に対応するＳＰＳ構成インデックスを示すＳＰＳ構成インデックス情報を含ませることを特徴とする請求項１ないし請求項４、請求項６のいずれか１項に記載のセミパーシステントスケジューリングを設定する方法。
【請求項８】
前記ネットワーク装置が、複数のＳＰＳ構成に対応するＳＰＳ周波数領域リソース設定情報を端末に送信する場合、
１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示すことを特徴とする請求項１ないし請求項４、請求項６のいずれか１項に記載のセミパーシステントスケジューリングを設定する方法。
【請求項９】
前記ネットワーク装置が、複数のＳＰＳ構成に対応するＳＰＳ周波数領域リソース設定情報を端末に送信した後、
前記ネットワーク装置は、ＳＰＳ Ｃ−ＲＮＴＩによってスクランブルされた少なくとも１つのＰＤＣＣＨシグナリングを介して、端末のために設定した複数のＳＰＳ構成をリリースすることを特徴とする請求項１ないし請求項４、請求項６のいずれか１項に記載のセミパーシステントスケジューリングを設定する方法。
【請求項１０】
前記ネットワーク装置が、複数のＳＰＳ構成に対応するＳＰＳ周波数領域リソース設定情報を端末に送信した後、
前記ＳＰＳ構成は、アップリンクＳＰＳ構成であり、各々ＳＰＳ構成に対し、前記ネットワーク装置は、前記ＳＰＳ構成に対応するリソースにおいて、連続Ｎ個のデータ部分がないｐａｄｄｉｎｇバッファ状態報告（ＢＳＲ）を受信した後、前記ＳＰＳ構成をリリースすることを特徴とする請求項１ないし請求項４、請求項６のいずれか１項に記載のセミパーシステントスケジューリングを設定する方法。
【請求項１１】
前記ネットワーク装置が、複数のＳＰＳ構成に対応するＳＰＳ周波数領域リソース設定情報を端末に送信した後、
前記複数のＳＰＳ構成が時間領域においてオーバーラップがなければ、前記ネットワーク装置は、前記複数のＳＰＳ構成を、前記端末に用いられる必要があるＳＰＳ構成とし、
前記複数のＳＰＳ構成が時間領域においてオーバーラップがあれば、前記ネットワーク装置は、所定の選出条件にしたがって、前記複数のＳＰＳ構成から、確定前記端末に用いられる必要があるＳＰＳ構成を確定することを特徴とする請求項１ないし請求項４、請求項６のいずれか１項に記載のセミパーシステントスケジューリングを設定する方法。
【請求項１２】
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項１ないし請求項４、請求項６のいずれか１項に記載のセミパーシステントスケジューリングを設定する方法。
【請求項１３】
端末は、複数のＳＰＳ構成に対応するＳＰＳ Ｃ−ＲＮＴＩを確定するステップと、
前記端末は、ＳＰＳ Ｃ−ＲＮＴＩによってスクランブルされたＰＤＣＣＨシグナリングをネットワーク側装置から受信するステップと、
前記端末は、前記ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した複数のＳＰＳ構成に対応する情報に基づき、複数のＳＰＳ構成を確定するステップとを備えることを特徴とするセミパーシステントスケジューリングを確定する方法。
【請求項１４】
前記端末は、前記ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定し、
前記端末が確定した情報に基づき、複数のＳＰＳ構成を確定する前、
前記端末は、ＲＲＣシグナリングを介して、ネットワーク装置により前記端末のために設定した複数のＳＰＳ構成に対応するＳＰＳ周期を確定することを特徴とする請求項１３に記載のセミパーシステントスケジューリングを確定する方法。
【請求項１５】
前記端末が複数のＳＰＳ構成を確定した後、
前記複数のＳＰＳ構成が時間領域においてオーバーラップがなければ、前記端末は、前記複数のＳＰＳ構成を、前記端末に用いられる必要があるＳＰＳ構成とし、
前記複数のＳＰＳ構成が時間領域においてオーバーラップがあれば、前記端末は、所定の選出条件にしたがって、前記複数のＳＰＳ構成から、前記端末に用いられる必要があるＳＰＳ構成を確定することを特徴とする請求項１３に記載のセミパーシステントスケジューリングを確定する方法。
【請求項１６】
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項１５に記載のセミパーシステントスケジューリングを確定する方法。
【請求項１７】
前記端末が複数のＳＰＳ構成を確定した後、
前記ＳＰＳ構成は、アップリンクＳＰＳ構成であり、
各々ＳＰＳ構成に対し、前記端末は、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信することを特徴とする請求項１３ないし請求項１６のいずれか１項に記載のセミパーシステントスケジューリングを確定する方法。
【請求項１８】
複数のＳＰＳ構成に対応するＳＰＳ Ｃ−ＲＮＴＩを確定する第１識別子確定モジュールと、
ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する処理モジュールとを備えることを特徴とするセミパーシステントスケジューリングを設定するネットワーク装置。
【請求項１９】
前記処理モジュールは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信すれば、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、ＲＲＣシグナリングを介して、複数のＳＰＳ構成それぞれに対応するＳＰＳ周期を端末に送信することを特徴とする請求項１８に記載のセミパーシステントスケジューリングを設定するネットワーク装置。
【請求項２０】
前記処理モジュールは、
同様なＳＰＳ周期であれば、ＲＲＣシグナリングごとに、１つの前記同様なＳＰＳ周期を含ませることを特徴とする請求項１９に記載のセミパーシステントスケジューリングを設定するネットワーク装置。
【請求項２１】
全部または一部のＳＰＳ構成に対応するＳＰＳ周期は同様であり、
前記処理モジュールは、
ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、ＰＤＣＣＨシグナリングごとに１つの前記同様なＳＰＳ周期を含ませることを特徴とする請求項１８に記載のセミパーシステントスケジューリングを設定するネットワーク装置。
【請求項２２】
複数のＳＰＳ構成に対応するＳＰＳ周期は全く同じではなく、
前記処理モジュールは、
複数のＳＰＳ構成に対応するＳＰＳ周波数領域リソース設定情報を端末に送信する前、ＰＤＣＣＨシグナリングに、ＳＰＳ周期とＳＰＳ周波数領域リソース設定情報の対応関係を含ませることを特徴とする請求項１８または請求項２１に記載のセミパーシステントスケジューリングを設定するネットワーク装置。
【請求項２３】
全部または一部のＳＰＳ構成に対応するＳＰＳ周波数領域リソース設定情報は同様であり、
前記処理モジュールは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、ＰＤＣＣＨシグナリングごとに、前記同様なＳＰＳ周波数領域リソース設定情報を含ませることを特徴とする請求項１８に記載のセミパーシステントスケジューリングを設定するネットワーク装置。
【請求項２４】
前記処理モジュールは、
複数のＳＰＳ構成に対応するＳＰＳ周波数領域リソース設定情報を端末に送信する前、前記ＰＤＣＣＨシグナリングに、ＳＰＳ構成に対応するＳＰＳ構成インデックスを示すＳＰＳ構成インデックス情報を含ませることを特徴とする請求項１８ないし請求項２１、請求項２３のいずれか１項に記載のセミパーシステントスケジューリングを設定するネットワーク装置。
【請求項２５】
前記処理モジュールは、
１組のＳＰＳ構成に対し、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示すことを特徴とする請求項１８ないし請求項２１、請求項２３のいずれか１項に記載のセミパーシステントスケジューリングを設定するネットワーク装置。
【請求項２６】
前記処理モジュールは、
複数のＳＰＳ構成に対応するＳＰＳ周波数領域リソース設定情報を端末に送信した後、ＳＰＳ Ｃ−ＲＮＴＩによってスクランブルされた少なくとも１つのＰＤＣＣＨシグナリングを介して、端末のために設定した複数のＳＰＳ構成をリリースすることを特徴とする請求項１８ないし請求項２１、請求項２３のいずれか１項に記載のセミパーシステントスケジューリングを設定するネットワーク装置。
【請求項２７】
前記処理モジュールは、
複数のＳＰＳ構成に対応するＳＰＳ周波数領域リソース設定情報を端末に送信した後、前記ＳＰＳ構成が、アップリンクＳＰＳ構成であれば、各々ＳＰＳ構成に対し、前記ＳＰＳ構成に対応するリソースにおいて、連続Ｎ個のデータ部分がないｐａｄｄｉｎｇ ＢＳＲを受信した後、前記ＳＰＳ構成をリリースすることを特徴とする請求項１８ないし請求項２１、請求項２３のいずれか１項に記載のセミパーシステントスケジューリングを設定するネットワーク装置。
【請求項２８】
前記処理モジュールは、
複数のＳＰＳ構成に対応するＳＰＳ周波数領域リソース設定情報を端末に送信した後、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定することを特徴とする請求項１８ないし請求項２１、請求項２３のいずれか１項に記載のセミパーシステントスケジューリングを設定するネットワーク装置。
【請求項２９】
前記処理モジュールは、下記いずれかの選出条件に従って、選出し、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項１８ないし請求項２１、請求項２３のいずれか１項に記載のセミパーシステントスケジューリングを設定するネットワーク装置。
【請求項３０】
複数のＳＰＳ構成に対応するＳＰＳ Ｃ−ＲＮＴＩを確定する第２識別子確定モジュールと、
ネットワーク装置からＳＰＳ Ｃ−ＲＮＴＩによってスクランブルされたＰＤＣＣＨシグナリングを受信する受信モジュールと、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する構成確定モジュールとを備えることを特徴とするセミパーシステントスケジューリングを確定する端末。
【請求項３１】
前記構成確定モジュールは、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定すると、確定した情報に基づき、複数のＳＰＳ構成を確定する前、ＲＲＣシグナリングに基づき、ネットワーク装置により前記端末のために設定した複数のＳＰＳ構成に対応するＳＰＳ周期を確定することを特徴とする請求項３０に記載のセミパーシステントスケジューリングを確定する端末。
【請求項３２】
前記構成確定モジュールは、
前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定することを特徴とする請求項３０に記載のセミパーシステントスケジューリングを確定する端末。
【請求項３３】
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項３２に記載のセミパーシステントスケジューリングを確定する端末。
【請求項３４】
前記構成確定モジュールは、
前記ＳＰＳ構成がアップリンクＳＰＳ構成であれば、各々ＳＰＳ構成に対し、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信することを特徴とする請求項３０ないし請求項３３のいずれか１項に記載のセミパーシステントスケジューリングを確定する端末。
【請求項３５】
プロセッサと、メモリと、送受信機とを備え、
前記プロセッサは、メモリに格納されたプログラムを読み出し、複数のＳＰＳ構成に対応するＳＰＳ Ｃ−ＲＮＴＩを確定し、ＳＰＳ Ｃ−ＲＮＴＩによってスクランブルされたＰＤＣＣＨシグナリングを介して、送受信機により、複数のＳＰＳ構成に対応するＳＰＳ周期および/または複数のＳＰＳ構成に対応するＳＰＳ周波数領域リソース設定情報を端末に送信し、
前記送受信機は、プロセッサの制御により、データを送受信することを特徴とするセミパーシステントスケジューリングを設定するネットワーク装置。
【請求項３６】
前記プロセッサは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信すれば、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、ＲＲＣシグナリングを介して、複数のＳＰＳ構成それぞれに対応するＳＰＳ周期を端末に送信することを特徴とする請求項３５に記載のセミパーシステントスケジューリングを設定するネットワーク装置。
【請求項３７】
前記プロセッサは、
同様なＳＰＳ周期であれば、ＲＲＣシグナリングごとに、１つの前記同様なＳＰＳ周期を含ませることを特徴とする請求項３６に記載のセミパーシステントスケジューリングを設定するネットワーク装置。
【請求項３８】
全部または一部のＳＰＳ構成に対応するＳＰＳ周期は同様であり、
前記プロセッサは、
ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、ＰＤＣＣＨシグナリングごとに１つの前記同様なＳＰＳ周期を含ませることを特徴とする請求項３５に記載のセミパーシステントスケジューリングを設定するネットワーク装置。
【請求項３９】
複数のＳＰＳ構成に対応するＳＰＳ周期は全く同じではない、
前記プロセッサは、
複数のＳＰＳ構成に対応するＳＰＳ周波数領域リソース設定情報を端末に送信する前、ＰＤＣＣＨシグナリングに、ＳＰＳ周期とＳＰＳ周波数領域リソース設定情報の対応関係を含ませることを特徴とする請求項３５または請求項３８に記載のセミパーシステントスケジューリングを設定するネットワーク装置。
【請求項４０】
全部または一部のＳＰＳ構成に対応するＳＰＳ周波数領域リソース設定情報は同様であり、
前記プロセッサは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、ＰＤＣＣＨシグナリングごとに、前記同様なＳＰＳ周波数領域リソース設定情報を含ませることを特徴とする請求項３５に記載のセミパーシステントスケジューリングを設定するネットワーク装置。
【請求項４１】
前記プロセッサは、
複数のＳＰＳ構成に対応するＳＰＳ周波数領域リソース設定情報を端末に送信する前、前記ＰＤＣＣＨシグナリングに、ＳＰＳ構成に対応するＳＰＳ構成インデックスを示すＳＰＳ構成インデックス情報を含ませることを特徴とする請求項３５ないし請求項３８、請求項４０のいずれか１項に記載のセミパーシステントスケジューリングを設定するネットワーク装置。
【請求項４２】
前記プロセッサは、
１組のＳＰＳ構成に対し、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示すことを特徴とする請求項３５ないし請求項３８、請求項４０のいずれか１項に記載のセミパーシステントスケジューリングを設定するネットワーク装置。
【請求項４３】
前記プロセッサは、
複数のＳＰＳ構成に対応するＳＰＳ周波数領域リソース設定情報を端末に送信した後、ＳＰＳ Ｃ−ＲＮＴＩによってスクランブルされた少なくとも１つのＰＤＣＣＨシグナリングを介して、端末のために設定した複数のＳＰＳ構成をリリースすることを特徴とする請求項３５ないし請求項３８、請求項４０のいずれか１項に記載のセミパーシステントスケジューリングを設定するネットワーク装置。
【請求項４４】
前記プロセッサは、
複数のＳＰＳ構成に対応するＳＰＳ周波数領域リソース設定情報を端末に送信した後、前記ＳＰＳ構成が、アップリンクＳＰＳ構成であれば、各々ＳＰＳ構成に対し、前記ＳＰＳ構成に対応するリソースにおいて、連続Ｎ個のデータ部分がないｐａｄｄｉｎｇ ＢＳＲを受信した後、前記ＳＰＳ構成をリリースすることを特徴とする請求項３５ないし請求項３８、請求項４０のいずれか１項に記載のセミパーシステントスケジューリングを設定するネットワーク装置。
【請求項４５】
前記プロセッサは、
複数のＳＰＳ構成に対応するＳＰＳ周波数領域リソース設定情報を端末に送信した後、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定することを特徴とする請求項３５ないし請求項３８、請求項４０のいずれか１項に記載のセミパーシステントスケジューリングを設定するネットワーク装置。
【請求項４６】
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項３５ないし請求項３８、請求項４０のいずれか１項に記載のセミパーシステントスケジューリングを設定するネットワーク装置。
【請求項４７】
プロセッサと、メモリと、送受信機とを備え、
前記プロセッサは、メモリ６０４に格納されたプログラムを読み出し、複数のＳＰＳ構成に対応するＳＰＳ Ｃ−ＲＮＴＩを確定し、送受信機により、ネットワーク装置からＳＰＳ Ｃ−ＲＮＴＩによってスクランブルされたＰＤＣＣＨシグナリングを受信し、ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定し、
前記送受信機は、プロセッサの制御により、データを送受信する。ことを特徴とするセミパーシステントスケジューリングを確定する端末。
【請求項４８】
前記プロセッサは、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定すると、確定した情報に基づき、複数のＳＰＳ構成を確定する前、ＲＲＣシグナリングに基づき、ネットワーク装置により前記端末のために設定した複数のＳＰＳ構成に対応するＳＰＳ周期を確定することを特徴とする請求項４７に記載のセミパーシステントスケジューリングを確定する端末。
【請求項４９】
前記プロセッサは、
前記複数のＳＰＳ構成が時間領域においてオーバーラップがなければ、前記複数のＳＰＳ構成を、前記端末に用いられる必要があるＳＰＳ構成としし、前記複数のＳＰＳ構成が時間領域においてオーバーラップがあれば、所定の選出条件に従って、前記複数のＳＰＳ構成から、前記端末に用いられる必要があるＳＰＳ構成を確定することを特徴とする請求項４７に記載のセミパーシステントスケジューリングを確定する端末。
【請求項５０】
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項４９に記載のセミパーシステントスケジューリングを確定する端末。
【請求項５１】
前記プロセッサは、
前記ＳＰＳ構成がアップリンクＳＰＳ構成であれば、各々ＳＰＳ構成に対し、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信することを特徴とする請求項４７ないし請求項５０のいずれか１項に記載のセミパーシステントスケジューリングを確定する端末。
【発明の詳細な説明】
【技術分野】
【０００１】
本出願は、無線通信技術分野に関し、特にセミパーシステントスケジューリングを設定・確定する方法及び装置に関する。
【背景技術】
【０００２】
制御シグナリングのオーバーヘッドを低減するために、データパケットのサイズがほぼ同様であり、かつ到着時間間隔が規則的なサービスに、セミパーシステントスケジューリングＳＰＳ（Ｓｅｍｉ-Ｐｅｒｓｉｓｔｅｎｔ Ｓｃｈｅｄｕｌｉｎｇ，セミパーシステントスケジューリング）がＬＴＥ（Ｌｏｎｇ Ｔｅｒｍ Ｅｖｏｌｕｔｉｏｎ）システムが導入された。
【０００３】
現在のＬＴＥシステムは、動的なトスケジューリング及びＳＰＳ２種のスケジューリングをサポートする。動的なトスケジューリングは、トラフィックデータの到着時間がランダム的であるか、または、データパケットのサイズが不規則であるサービスに適用される。ＳＰＳは、一般的に、データパケット定期的な到着し、かつ固定サイズを有するサービス（例えば、音声サービス）に適用可能である。従来のＬＴＥシステムにおいて、ＳＰＳは、主に音声サービスに向いて設計されており、音声サービスの典型的な特徴としては、データパケット到着間隔が固定的であり、データパケットのサイズが基本的に固定的であることである。よって、ＳＰＳ周波数リソースを設定するときは、周期的に繰り返される周波数リソースを１組だけ設定する必要がある。
【０００４】
ＬＴＥ Rel-１４には、Ｖ２Ｘ（Vechile-to-Everything）通信が導入された。Ｖ２Ｘ通信に、主に以下の３つの内容が含まれる。
【０００５】
Ｖ２Ｖ（Ｖｅｃｈｉｌｅ−ｔｏ−Ｖｅｃｈｉｌｅ）：車両上のＯＢＵ（Ｏｎ Ｂｒｏａｄ ｕｎｉｔ，リソース）間の通信。
【０００６】
Ｖ２Ｉ（Ｖｅｃｈｉｌｅ−ｔｏ−Ｉｎｆｒａｓｔｒｕｃｔｕｒｅ）：車両とＲＳＵ（Ｒｏａｄ Ｓｉｄｅ ｕｎｉｔ）間の通信。
【０００７】
Ｖ２Ｐ（Ｖｅｃｈｉｌｅ−ｔｏ−Ｐｅｄｅｓｔｒｉａｎ）：車両と歩行者の間の通信。
【０００８】
ここで、Ｖ２Ｖサービスの特徴としては、トラフィックデータパケットがＳＰＳ周期（ＳＰＳ周期１００ｍｓ）に従って到着することであるが、データパケットのサイズが固定的ではなく、証明書が含まれるトラフィックデータパケットが大きいが、他のデータパケットは小さい。Ｖ２Ｖサービスのサービスモデルには、大きなパケットに続いていくつかの小さなパケットが続き、次に別の大きなパケットに続いていくつかの小さなパケットなどが続き、このように繰り返している。従来のＬＴＥ ＳＰＳを直接にＶ２Ｖに用いれば、大きなパケットに応じてＳＰＳ周波数領域リソースを割り当てると、小さなパケットの場合依然として当該ＳＰＳ周波数領域リソースにおいて送信されると、いくつかの周波数リソースが無駄になてしまう。小パケットに応じてＳＰＳ周波数リソースを割り当てると、大きなパケットのデータがＳＰＳ周波数領域リソースにおいて全部伝送できず、基地局が動的なスケジューリングを実施するように、ＳＲ（Ｓｃｈｅｄｕｌｉｎｇ Ｒｅｑｕｅｓｔ）/ＢＳＲ（Ｂｕｆｆｅｒ Ｓｔａｔｕｓ Ｒｅｐｏｒｔｉｎｇ）により、要求する必要がある。これにより、ＵＬ/ＤＬオーバーヘッドが大きくなってしまう。また、たのＶ２ＸもＶ２Ｖと類似する問題点が存在する。
【０００９】
よって、従来のＬＴＥ ＳＰＳのままでＶ２Ｘ通信に用いると、リソース浪費またはオーバーヘッド増大との問題点が存在する。
【発明の概要】
【発明が解決しようとする課題】
【００１０】
本出願は、セミパーシステントスケジューリングを設定・確定する方法及び装置を提供し、従来のＬＴＥ ＳＰＳのままでＶ２Ｘ通信に用いると、リソース浪費またはオーバーヘッド増大となる問題点を、解決する。
【課題を解決するための手段】
【００１１】
第１態様によれば、本出願の実施例に係るセミパーシステントスケジューリングを設定する方法は、
ネットワーク側装置は、複数のＳＰＳ構成に対応するＳＰＳ Ｃ−ＲＮＴＩ（Ｃｅｌｌ Ｒａｄｉｏ Ｎｅｔｗｏｒｋ Ｔｅｍｐｏｒａｒｙ Ｉｄｅｎｔｉｆｉｅｒ）を確定するステップと、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信するステップと備える。
【００１２】
好ましくは、前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信し、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、
前記ネットワーク装置は、ＲＲＣシグナリングを介して、複数のＳＰＳ構成それぞれに対応するＳＰＳ周期を端末に送信する。
【００１３】
好ましくは、前記ネットワーク装置は、ＲＲＣシグナリングを介して、複数のＳＰＳ構成それぞれに対応するＳＰＳ周期を端末に送信する場合、
同様なＳＰＳ周期であれば、前記ネットワーク装置は、ＲＲＣシグナリングごとに前記同様なＳＰＳ周期を含ませる。
【００１４】
好ましくは、全部または一部のＳＰＳ構成に対応するＳＰＳ周期は同様である。
【００１５】
前記ネットワーク側装置は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、前記ネットワーク装置は、ＰＤＣＣＨシグナリングごとに、１つの前記同様なＳＰＳ周期を含ませる。
【００１６】
好ましくは、複数のＳＰＳ構成に対応するＳＰＳ周期は全く同じではない、
前記ネットワーク装置が、複数のＳＰＳ構成に対応するＳＰＳ周波数領域リソース設定情報を端末に送信する前、
前記ネットワーク装置は、ＰＤＣＣＨシグナリングに、ＳＰＳ周期とＳＰＳ周波数領域リソース設定情報の対応関係を含ませる。
【００１７】
好ましくは、全部または一部のＳＰＳ構成に対応するＳＰＳ周波数領域リソース設定情報は同様であり、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、
同様なＳＰＳ周波数領域リソース設定情報に対し、前記ネットワーク装置は、ＰＤＣＣＨシグナリングごとに、１つの前記同様なＳＰＳ周波数領域リソース設定情報を含ませる。
【００１８】
好ましくは、前記ネットワーク装置が、複数のＳＰＳ構成に対応するＳＰＳ周波数領域リソース設定情報を端末に送信する前、
前記ネットワーク装置は、前記ＰＤＣＣＨシグナリングに、ＳＰＳ構成に対応するＳＰＳ構成インデックスを示すＳＰＳ構成インデックス情報を含ませる。
【００１９】
好ましくは、前記ネットワーク装置が、複数のＳＰＳ構成に対応するＳＰＳ周波数領域リソース設定情報を端末に送信する場合、
１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【００２０】
好ましくは、前記ネットワーク装置が、複数のＳＰＳ構成に対応するＳＰＳ周波数領域リソース設定情報を端末に送信した後、
前記ネットワーク装置は、ＳＰＳ Ｃ−ＲＮＴＩによってスクランブルされた少なくとも１つのＰＤＣＣＨシグナリングを介して、端末のために設定した複数のＳＰＳ構成をリリースする。
【００２１】
好ましくは、前記ネットワーク装置が、複数のＳＰＳ構成に対応するＳＰＳ周波数領域リソース設定情報を端末に送信した後、
前記ＳＰＳ構成は、アップリンクＳＰＳ構成であり、各々ＳＰＳ構成に対し、前記ネットワーク装置は、前記ＳＰＳ構成に対応するリソースにおいて、連続Ｎ個のデータ部分がないｐａｄｄｉｎｇ ＢＳＲを受信した後、前記ＳＰＳ構成をリリースする。
【００２２】
好ましくは、前記ネットワーク装置が、複数のＳＰＳ構成に対応するＳＰＳ周波数領域リソース設定情報を端末に送信した後、
前記複数のＳＰＳ構成が時間領域においてオーバーラップがなければ、前記ネットワーク装置は、前記複数のＳＰＳ構成を、前記端末に用いられる必要があるＳＰＳ構成とし、
前記複数のＳＰＳ構成が時間領域においてオーバーラップがあれば、前記ネットワーク装置は、所定の選出条件にしたがって、前記複数のＳＰＳ構成から、確定前記端末に用いられる必要があるＳＰＳ構成を確定する。
【００２３】
好ましくは、前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出する。
【００２４】
第２態様によれば、本出願の実施例に係るセミパーシステントスケジューリングを確定する方法は、
端末は、複数のＳＰＳ構成に対応するＳＰＳ Ｃ−ＲＮＴＩを確定するステップと、
前記端末は、ＳＰＳ Ｃ−ＲＮＴＩによってスクランブルされたＰＤＣＣＨシグナリングをネットワーク側装置から受信するステップと、
前記端末は、前記ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する。
【００２５】
好ましくは、前記端末は、前記ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定し、
前記端末が確定した情報に基づき、複数のＳＰＳ構成を確定する前、
前記端末は、ＲＲＣシグナリングを介して、ネットワーク装置により前記端末のために設定した複数のＳＰＳ構成に対応するＳＰＳ周期を確定する。
【００２６】
好ましくは、前記端末が複数のＳＰＳ構成を確定した後、
前記複数のＳＰＳ構成が時間領域においてオーバーラップがなければ、前記端末は、前記複数のＳＰＳ構成を、前記端末に用いられる必要があるＳＰＳ構成とし、
前記複数のＳＰＳ構成が時間領域においてオーバーラップがあれば、前記端末は、所定の選出条件にしたがって、前記複数のＳＰＳ構成から、前記端末に用いられる必要があるＳＰＳ構成を確定する。
【００２７】
好ましくは、前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出する。
【００２８】
好ましくは、前記端末が複数のＳＰＳ構成を確定した後、
前記ＳＰＳ構成は、アップリンクＳＰＳ構成であり、各々ＳＰＳ構成に対し、前記端末は、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信する。
【００２９】
第３態様によれば、本出願の実施例に係るセミパーシステントスケジューリングを設定するネットワーク装置は、
複数のＳＰＳ構成に対応するＳＰＳ Ｃ−ＲＮＴＩを確定する第１識別子確定モジュールと、
ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する処理モジュールとを備える。
【００３０】
好ましくは、前記処理モジュールは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信すれば、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、ＲＲＣシグナリングを介して、複数のＳＰＳ構成それぞれに対応するＳＰＳ周期を端末に送信する。
【００３１】
好ましくは、前記処理モジュールは、
同様なＳＰＳ周期であれば、ＲＲＣシグナリングごとに、１つの前記同様なＳＰＳ周期を含ませる。
【００３２】
好ましくは、全部または一部のＳＰＳ構成に対応するＳＰＳ周期は同様であり、
前記処理モジュールは、
ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、ＰＤＣＣＨシグナリングごとに１つの前記同様なＳＰＳ周期を含ませる。
【００３３】
好ましくは、複数のＳＰＳ構成に対応するＳＰＳ周期は全く同じではなく、
前記処理モジュールは、
複数のＳＰＳ構成に対応するＳＰＳ周波数領域リソース設定情報を端末に送信する前、ＰＤＣＣＨシグナリングに、ＳＰＳ周期とＳＰＳ周波数領域リソース設定情報の対応関係を含ませる。
【００３４】
好ましくは、全部または一部のＳＰＳ構成に対応するＳＰＳ周波数領域リソース設定情報は同様であり、
前記処理モジュールは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、ＰＤＣＣＨシグナリングごとに、前記同様なＳＰＳ周波数領域リソース設定情報を含ませる。
【００３５】
好ましくは、前記処理モジュールは、
複数のＳＰＳ構成に対応するＳＰＳ周波数領域リソース設定情報を端末に送信する前、前記ＰＤＣＣＨシグナリングに、ＳＰＳ構成に対応するＳＰＳ構成インデックスを示すＳＰＳ構成インデックス情報を含ませる。
【００３６】
好ましくは、前記処理モジュールは、
１組のＳＰＳ構成に対し、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【００３７】
好ましくは、前記処理モジュールは、
複数のＳＰＳ構成に対応するＳＰＳ周波数領域リソース設定情報を端末に送信した後、ＳＰＳ Ｃ−ＲＮＴＩによってスクランブルされた少なくとも１つのＰＤＣＣＨシグナリングを介して、端末のために設定した複数のＳＰＳ構成をリリースする。
【００３８】
好ましくは、前記処理モジュールは、
複数のＳＰＳ構成に対応するＳＰＳ周波数領域リソース設定情報を端末に送信した後、前記ＳＰＳ構成が、アップリンクＳＰＳ構成であれば、各々ＳＰＳ構成に対し、前記ＳＰＳ構成に対応するリソースにおいて、連続Ｎ個のデータ部分がないｐａｄｄｉｎｇ ＢＳＲを受信した後、前記ＳＰＳ構成をリリースする。
【００３９】
好ましくは、前記処理モジュールは、
複数のＳＰＳ構成に対応するＳＰＳ周波数領域リソース設定情報を端末に送信した後、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【００４０】
好ましくは、前記選出条件は、下記条件のうちの１つである
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出する。
【００４１】
第４態様によれば、本出願の実施例に係るセミパーシステントスケジューリングを確定する端末は、
複数のＳＰＳ構成に対応するＳＰＳ Ｃ−ＲＮＴＩを確定する第２識別子確定モジュールと、
ネットワーク装置からＳＰＳ Ｃ−ＲＮＴＩによってスクランブルされたＰＤＣＣＨシグナリングを受信する受信モジュールと、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する構成確定モジュールとを備える。
【００４２】
好ましくは、前記構成確定モジュールは、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定すると、確定した情報に基づき、複数のＳＰＳ構成を確定する前、ＲＲＣシグナリングに基づき、ネットワーク装置により前記端末のために設定した複数のＳＰＳ構成に対応するＳＰＳ周期を確定する。
【００４３】
好ましくは、前記構成確定モジュールは、
前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【００４４】
好ましくは、前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出する。
【００４５】
好ましくは、前記構成確定モジュールは、
前記ＳＰＳ構成がアップリンクＳＰＳ構成であれば、各々ＳＰＳ構成に対し、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信する。
【００４６】
第５態様によれば、本出願の実施例に係るセミパーシステントスケジューリングを設定するネットワーク装置は、プロセッサと、メモリと、送受信機とを備え、
前記プロセッサは、メモリに格納されたプログラムを読み出し、複数のＳＰＳ構成に対応するＳＰＳ Ｃ−ＲＮＴＩを確定し、ＳＰＳ Ｃ−ＲＮＴＩによってスクランブルされたＰＤＣＣＨシグナリングを介して、送受信機により、複数のＳＰＳ構成に対応するＳＰＳ周期および/または複数のＳＰＳ構成に対応するＳＰＳ周波数領域リソース設定情報を端末に送信し、
前記送受信機は、プロセッサの制御により、データを送受信する。
【００４７】
好ましくは、プロセッサは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信すれば、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、ＲＲＣシグナリングを介して、複数のＳＰＳ構成それぞれに対応するＳＰＳ周期を端末に送信する。
【００４８】
好ましくは、前記プロセッサは、
同様なＳＰＳ周期であれば、ＲＲＣシグナリングごとに、１つの前記同様なＳＰＳ周期を含ませる。
【００４９】
好ましくは、全部または一部のＳＰＳ構成に対応するＳＰＳ周期は同様であり、
前記プロセッサは、
ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、ＰＤＣＣＨシグナリングごとに１つの前記同様なＳＰＳ周期を含ませる。
【００５０】
好ましくは、複数のＳＰＳ構成に対応するＳＰＳ周期は全く同じではなく、
前記プロセッサは、
複数のＳＰＳ構成に対応するＳＰＳ周波数領域リソース設定情報を端末に送信する前、ＰＤＣＣＨシグナリングに、ＳＰＳ周期とＳＰＳ周波数領域リソース設定情報の対応関係を含ませる。
【００５１】
好ましくは、全部または一部のＳＰＳ構成に対応するＳＰＳ周波数領域リソース設定情報は同様であり、
前記プロセッサは、
ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、ＰＤＣＣＨシグナリングごとに、前記同様なＳＰＳ周波数領域リソース設定情報を含ませる。
【００５２】
好ましくは、前記プロセッサは、
複数のＳＰＳ構成に対応するＳＰＳ周波数領域リソース設定情報を端末に送信する前、前記ＰＤＣＣＨシグナリングに、ＳＰＳ構成に対応するＳＰＳ構成インデックスを示すＳＰＳ構成インデックス情報を含ませる。
【００５３】
好ましくは、前記プロセッサは、
１組のＳＰＳ構成に対し、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【００５４】
好ましくは、前記プロセッサは、
複数のＳＰＳ構成に対応するＳＰＳ周波数領域リソース設定情報を端末に送信した後、ＳＰＳ Ｃ−ＲＮＴＩによってスクランブルされた少なくとも１つのＰＤＣＣＨシグナリングを介して、端末のために設定した複数のＳＰＳ構成をリリースする。
【００５５】
好ましくは、前記プロセッサは、
複数のＳＰＳ構成に対応するＳＰＳ周波数領域リソース設定情報を端末に送信した後、前記ＳＰＳ構成が、アップリンクＳＰＳ構成であれば、各々ＳＰＳ構成に対し、前記ＳＰＳ構成に対応するリソースにおいて、連続Ｎ個のデータ部分がないｐａｄｄｉｎｇ ＢＳＲを受信した後、前記ＳＰＳ構成をリリースする。
【００５６】
好ましくは、前記プロセッサは、
複数のＳＰＳ構成に対応するＳＰＳ周波数領域リソース設定情報を端末に送信した後、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【００５７】
好ましくは、前記選出条件は、下記条件のうちの１つである
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出する。
【００５８】
第６態様によれば、本出願の実施例に係るセミパーシステントスケジューリングを確定する端末は、プロセッサと、メモリと、送受信機とを備え、
前記プロセッサは、メモリ６０４に格納されたプログラムを読み出し、複数のＳＰＳ構成に対応するＳＰＳ Ｃ−ＲＮＴＩを確定し、送受信機により、ネットワーク装置からＳＰＳ Ｃ−ＲＮＴＩによってスクランブルされたＰＤＣＣＨシグナリングを受信し、ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定し、
前記送受信機は、プロセッサの制御により、データを送受信する。
【００５９】
好ましくは、前記プロセッサは、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定すると、確定した情報に基づき、複数のＳＰＳ構成を確定する前、ＲＲＣシグナリングに基づき、ネットワーク装置により前記端末のために設定した複数のＳＰＳ構成に対応するＳＰＳ周期を確定する。
【００６０】
好ましくは、前記プロセッサは、
前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【００６１】
好ましくは、前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出する。
【００６２】
好ましくは、前記プロセッサは、
前記ＳＰＳ構成がアップリンクＳＰＳ構成であれば、各々ＳＰＳ構成に対し、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信する。
【００６３】
本出願の実施例に係るネットワーク前記ネットワーク側装置は、ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する。ＰＤＣＣＨシグナリングを介して端末のために複数のＳＰＳ構成を設定することができるため、背景技術に記載の、１組のＳＰＳ構成のみを設定することと比べ、ＳＰＳ構成の数を増やし、リソース浪費及びオーバーヘッドを低減し、システム性能をさらに向上する。
【図面の簡単な説明】
【００６４】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００６５】
【図１】本出願に係る実施例セミパーシステントスケジューリングを設定するシステム構成図である。
【図２】本出願の実施例に係るＳＰＳ周波数領域リソースオーバーラップを示す図である。
【図３】本出願の実施例に係る第１種のネットワーク装置の構成図である。
【図４】本出願の実施例に係る第１種の端末の構成図である。
【図５】本出願の実施例に係る第２種のネットワーク装置の構成図である。
【図６】本出願の実施例に係る第２種の端末の構成図である。
【図７】本出願の実施例に係る第１種のセミパーシステントスケジューリングを設定する方法のフローチャートである。
【図８】本出願の実施例に係る第２種のセミパーシステントスケジューリングを確定する方法のフローチャートである。
【発明を実施するための形態】
【００６６】
本出願の実施例にかかるネットワーク装置は、前記ＳＰＳ Ｃ−ＲＮＴＩ（Ｃｅｌｌ Ｒａｄｉｏ Ｎｅｔｗｏｒｋ Ｔｅｍｐｏｒａｒｙ Ｉｄｅｎｔｉｆｉｅｒ，Ｃ−ＲＮＴＩ）によってによってスクランブルされたＰＤＣＣＨ（Ｐｈｙｓｉｃａｌ Ｄｏｗｎｌｉｎｋ Ｃｏｎｔｒｏｌ Ｃｈａｎｎｅｌ）シグナリングを介して、複数のＳＰＳ構成に対応するＳＰＳ周期および/または複数のＳＰＳ構成に対応するＳＰＳ周波数領域リソース設定情報を端末に送信する。ＰＤＣＣＨシグナリングを介して端末のために複数のＳＰＳ構成を設定することができるため、背景技術に記載の、１組のＳＰＳ構成のみを設定することと比べ、ＳＰＳ構成の数を増やし、リソース浪費及びオーバーヘッドを低減し、システム性能をさらに向上する。
【００６７】
本出願の実施例に係るネットワーク装置は、複数のＳＰＳ構成を端末に送信し、端末は、ネットワーク装置により設定された複数のＳＰＳ構成を確定する。
【００６８】
ＳＰＳ構成がアップリンクＳＰＳ構成であれば、端末は、複数のＳＰＳ構成から端末に用いられる必要があるＳＰＳ構成を選出し、端末に用いられる必要があるＳＰＳ構成により、ネットワーク装置にデータを送信する。一方に、ネットワーク装置が端末に用いられるＳＰＳを確定することができれば、端末に用いられるＳＰＳを検出し、端末に用いられるＳＰＳを確定できなければ、複数のＳＰＳ構成に対応するリソースを検出する必要がある。
【００６９】
ＳＰＳ構成がダウンリンクＳＰＳ構成であれば、ネットワーク装置は、複数のＳＰＳ構成から端末に用いられる必要があるＳＰＳ構成を選出し、端末に用いられる必要があるＳＰＳ構成により、端末にデータを送信する。一方、端末がネットワーク装置に用いられるＳＰＳを確定できれば、ネットワーク装置に用いられるＳＰＳを検出することができる。ネットワーク装置に用いられるＳＰＳを確定できなければ、複数のＳＰＳ構成に対応するリソースを検出する必要がある。
【００７０】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００７１】
図１に示すように、本出願に係る実施例セミパーシステントスケジューリングを設定するシステムは、ネットワーク装置１０と、端末２０とを備える。
【００７２】
前記ネットワーク装置１０は、複数のＳＰＳ構成に対応するＳＰＳ Ｃ−ＲＮＴＩを確定し、ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する。
【００７３】
前記端末２０は、複数のＳＰＳ構成に対応するＳＰＳ Ｃ−ＲＮＴＩを確定し、ネットワーク装置からＳＰＳ Ｃ−ＲＮＴＩによってスクランブルされたＰＤＣＣＨシグナリングを受信し、ＳＰＳ Ｃ−ＲＮＴＩによってスクランブルされたＰＤＣＣＨシグナリングに基づき、ネットワーク側装置が前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する。
【００７４】
本出願に係る実施例のＳＰＳ周期及び/またはＳＰＳ周波数領域リソース設定情報は、ＰＤＣＣＨシグナリングによりＳＰＳ周期を設定するか、ＰＤＣＣＨシグナリングによりＳＰＳ周波数領域リソース設定情報を設定するか、ＰＤＣＣＨシグナリングによりＳＰＳ周期及びＳＰＳ周波数領域リソース設定情報を設定する。
【００７５】
本出願の実施例に係るネットワーク装置により端末のために複数のＳＰＳ構成を設定する場合、端末のために設定する複数のＳＰＳ構成に対応するＳＰＳ周波数領域リソース設定情報及びＳＰＳ周期が含まれる。
【００７６】
複数のＳＰＳ構成に対応するＳＰＳ周期及び/またはＳＰＳ周波数領域リソースが異なるため、場合に応じて、設定もそれぞれとなり、以下、詳しく説明する。
【００７７】
〈状況１〉ＳＰＳ周期は、一部が同様であるか、または、全部同様であり、ＳＰＳ周波数領域リソースそれぞれは異なる。
【００７８】
１、ＳＰＳ周期全部同様であれば、端末に１つのみのＳＰＳ周期を送信する。
【００７９】
１）ＳＰＳ周期は、ＲＲＣ（Ｒａｄｉｏ Ｒｅｓｏｕｒｃｅ Ｃｏｎｔｒｏｌ，無線リソース制御）シグナリングを介して送信される。
【００８０】
ネットワーク装置は、ＳＰＳ周期を、サービスに対応するＳＰＳ Ｃ−ＲＮＴＩが含まれるＲＲＣシグナリングに含ませて、端末に送信する。
【００８１】
一方、端末が受信した後、ＲＲＣシグナリングに１つのＳＰＳ周期が含まれば、当該サービスの複数のＳＰＳ構成それぞれに対応するＳＰＳ周期が、全部同様であり、かつＲＲＣシグナリングにおけるＳＰＳ周期に等しいと、確定する。
【００８２】
ＳＰＳ周波数領域リソースを送信するとき、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【００８３】
一方、端末は、ＰＤＣＣＨシグナリングを受信した後、ＰＤＣＣＨシグナリング内のＳＰＳ周波数領域リソース設定情報とＲＲＣシグナリング内のＳＰＳ周期をバンディングし、こうして、各組のＳＰＳ構成を確定することができるようになる。
【００８４】
２）ＳＰＳ周期は、ＰＤＣＣＨシグナリングにより送信される。
【００８５】
ＳＰＳ周波数領域リソースを送信するとき、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【００８６】
ネットワーク装置は、ＳＰＳ周波数領域リソース設定情報及びＳＰＳ周期を、ＳＰＳ Ｃ−ＲＮＴＩによってスクランブルされたＰＤＣＣＨシグナリングに含ませて、端末に送信する。
【００８７】
一方、端末は、ＰＤＣＣＨシグナリングを受信した後、ＰＤＣＣＨシグナリングに、１つのＳＰＳ周期及び複数のＳＰＳ周波数領域リソース設定情報が含まれば、各々ＳＰＳ周波数領域リソース設定情報をＳＰＳ周期とバンディングし、ＰＤＣＣＨシグナリングに、１つのＳＰＳ周期及び１つのＳＰＳ周波数領域リソース設定情報が含まれば、ＰＤＣＣＨシグナリング内のＳＰＳ周波数領域リソース設定情報とＰＤＣＣＨシグナリング内のＳＰＳ周期をバンディングする。
【００８８】
好ましくは、前記ネットワーク装置は、前記ＰＤＣＣＨシグナリングに、ＳＰＳ構成に対応するＳＰＳ構成インデックスを示すＳＰＳ構成インデックス情報を含ませる。
【００８９】
例えば、ＳＰＳ構成インデックスはＮビットであることができる。Ｎの値は、１つのサービスのＳＰＳ構成の組数によって決められ、例えば、１サービスに２組のＳＰＳ構成を必要とすると、Ｎの値を２ｂｉｔとする。００で第１組のＳＰＳ構成を識別し、０１で第１組のＳＰＳ構成の再設定を識別し、１０で第２組のＳＰＳ構成を識別し、１１で第２組のＳＰＳ構成の再設定を識別する。
【００９０】
好ましくは、１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。例えば、端末は、サブフレームｎにおいてＳＰＳ Ｃ−ＲＮＴＩによってスクランブルされたＰＤＣＣＨシグナリングを受信し、ここで、含まれる時間領域におけるオフセットはｍであり、当該ＰＤＣＣＨに含まれるＳＰＳ周波数領域リソースは、サブフレームｎ+ｍから発効する。
【００９１】
２、ＳＰＳ周期が部分的に同様であれば、同様なＳＰＳ周期の場合、端末に１つのみを送信すればよく、異なるＳＰＳ周期の場合、端末にそれぞれを送信する。
【００９２】
１）ＳＰＳ周期はＲＲＣシグナリングにより送信される。
【００９３】
実施中、ネットワーク装置は、ＳＰＳ周期を、サービスに対応するＳＰＳ Ｃ−ＲＮＴＩが含まれるＲＲＣシグナリングに含ませて、端末に送信する（同様なＳＰＳ周期の場合１つのみを送信する）。
【００９４】
一方、端末が受信した後、ＲＲＣシグナリング内の全部のＳＰＳ周期が同一のサービスに対応すると確定する。
【００９５】
実施中、ＳＰＳ周波数領域リソースを送信するとき、ネットワーク装置は、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【００９６】
１つのＰＤＣＣＨシグナリングに全部のＳＰＳ周波数領域リソース設定情報が含まれば、ネットワーク装置は、ＳＰＳ周波数領域リソース設定情報を、ＳＰＳ Ｃ−ＲＮＴＩによってスクランブルされたＰＤＣＣＨシグナリングに含ませ、また、ＰＤＣＣＨシグナリングに、ＳＰＳ周期とＳＰＳ周波数領域リソース設定情報の対応関係を含ませる。
【００９７】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のＳＰＳ周波数領域リソース設定情報がＲＲＣシグナリングないのどちらＳＰＳ周期に対応するのかを、知ることができる。
【００９８】
ＰＤＣＣＨシグナリングごとに、１つのＳＰＳ周波数領域リソース設定情報が含まれば、ネットワーク装置は、ＳＰＳ周波数領域リソース設定情報を、ＳＰＳ Ｃ−ＲＮＴＩによってスクランブルされたＰＤＣＣＨシグナリングに含ませ、かつ、ＰＤＣＣＨシグナリングに、当該ＳＰＳ周波数領域リソース設定情報とＳＰＳ周期の対応関係を含ませる。
【００９９】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のＳＰＳ周波数領域リソース設定情報がＲＲＣシグナリング内のどちらのＳＰＳ周期に対応するのかを、知ることができる。
【０１００】
２）ＳＰＳ周期は、ＰＤＣＣＨシグナリングにより送信される。
【０１０１】
実施中、ＳＰＳ周波数領域リソースを送信するとき、ネットワーク装置は、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【０１０２】
１つのＰＤＣＣＨシグナリングに全部のＳＰＳ周波数領域リソース設定情報が含まれば、ネットワーク装置は、ＳＰＳ周波数領域リソース設定情報及び全部のＳＰＳ周期を、ＳＰＳ Ｃ−ＲＮＴＩによってスクランブルされたＰＤＣＣＨシグナリングに含ませる。また、ＰＤＣＣＨシグナリングに、ＳＰＳ周期とＳＰＳ周波数領域リソース設定情報の対応関係を含ませる。
【０１０３】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のどちらのＳＰＳ周波数領域リソース設定情報がどちらのＳＰＳ周期に対応するのかを、知ることができる。
【０１０４】
１つのＰＤＣＣＨシグナリングに１つのＳＰＳ周波数領域リソース設定情報を含ませば、ネットワーク装置は、ＳＰＳ周波数領域リソース設定情報及び当該ＳＰＳ周波数領域リソース設定情報に対応するＳＰＳ周期を、ＳＰＳ Ｃ−ＲＮＴＩによってスクランブルされたＰＤＣＣＨシグナリングに含ませることができる。
【０１０５】
一方、端末は、ＰＤＣＣＨシグナリングを受信した後、ＰＤＣＣＨシグナリング内のＳＰＳ周波数領域リソース設定情報がＰＤＣＣＨシグナリング内のＳＰＳ周期に対応することを、知る。
【０１０６】
好ましくは、前記ネットワーク装置は、前記ＰＤＣＣＨシグナリングに、ＳＰＳ構成に対応するＳＰＳ構成インデックスを示すＳＰＳ構成インデックス情報が含まれることもできる。
【０１０７】
例えば、ＳＰＳ構成インデックスはＮビットであることができる。Ｎの値は、１つのサービスのＳＰＳ構成の組数によって決められ、例えば、１サービスに２組のＳＰＳ構成を必要とすると、Ｎの値を２ｂｉｔとする。００で第１組のＳＰＳ構成を識別し、０１で第１組のＳＰＳ構成の再設定を識別し、１０で第２組のＳＰＳ構成を識別し、１１で第２組のＳＰＳ構成の再設定を識別する。
【０１０８】
好ましくは、１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加する。
【０１０９】
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０１１０】
＜状況２＞ＳＰＳ周期それぞれ異なり、ＳＰＳ周波数領域リソースの一部が同様であるか、または、全部が同様である。
【０１１１】
１、ＳＰＳ周波数領域リソースは全部同様である。
【０１１２】
１）ＳＰＳ周期はＲＲＣシグナリングにより送信される。
【０１１３】
実施中、ネットワーク装置は、ＳＰＳ周期を、サービスに対応するＳＰＳ Ｃ−ＲＮＴＩが含まれるＲＲＣシグナリングに含ませて、端末に送信する。
【０１１４】
一方、端末は、ＲＲＣシグナリング内の全部のＳＰＳ周期が同一のサービスに対応することを知る。
【０１１５】
由于ＳＰＳ周波数領域リソースが全部同様であるため、端末のために、１つのみのＰＳ周波数領域リソース設定情報を設定すればよい。
【０１１６】
ネットワーク装置は、１つのＳＰＳ周波数領域リソース設定情報をＰＤＣＣＨシグナリングに含ませ、かつ、前記ＳＰＳ Ｃ−ＲＮＴＩよってスクランブルすることができる。
【０１１７】
一方、端末は、ＳＰＳ Ｃ−ＲＮＴＩによってスクランブルされたＰＤＣＣＨシグナリングを受信した後、ＰＤＣＣＨシグナリングに１つのＳＰＳ周波数領域リソース設定情報が含まれば、当該サービスに対応するすべてのＳＰＳ周波数領域リソース設定情報は同様であることを知り、ＳＰＳ周波数領域リソース設定情報それぞれを、ＲＲＣシグナリングに含まれる各々ＳＰＳ周期とバンディングし、こうして、各組のＳＰＳ構成を確定することができるようになる。
【０１１８】
２）ＳＰＳ周期は、ＰＤＣＣＨシグナリングにより送信される。
【０１１９】
由于ＳＰＳ周波数領域リソースが全部同様であるため、端末のために、１つのみのＰＳ周波数領域リソース設定情報を設定すればよい。
【０１２０】
ネットワーク装置は、１つのＳＰＳ周波数領域リソース設定情報及び全部のＲＲＣシグナリングを、ＰＤＣＣＨシグナリングに含ませ、かつ、前記ＳＰＳ Ｃ−ＲＮＴＩによってスクランブルする。
【０１２１】
一方、端末は、ＳＰＳ Ｃ−ＲＮＴＩによってスクランブルされたＰＤＣＣＨシグナリングを受信した後、ＰＤＣＣＨシグナリングに１つのＳＰＳ周波数領域リソース設定情報が含まれば、当該サービスに対応するすべてのＳＰＳ周波数領域リソース設定情報は同様であることを知り、ＳＰＳ周波数領域リソース設定情報それぞれを、ＰＤＣＣＨシグナリング内の各々ＳＰＳ周期とバンディングし、こうして、各組のＳＰＳ構成を確定することができるようになる。
【０１２２】
好ましくは、前記ネットワーク装置は、前記ＰＤＣＣＨシグナリングに、ＳＰＳ構成に対応するＳＰＳ構成インデックスを示すＳＰＳ構成インデックス情報を含ませる。
【０１２３】
例えば、ＳＰＳ構成インデックスはＮビットであることができる。Ｎの値は、１つのサービスのＳＰＳ構成の組数によって決められ、例えば、１サービスに２組のＳＰＳ構成を必要とすると、Ｎの値を２ｂｉｔとする。００で第１組のＳＰＳ構成を識別し、０１で第１組のＳＰＳ構成の再設定を識別し、１０で第２組のＳＰＳ構成を識別し、１１で第２組のＳＰＳ構成の再設定を識別する。
【０１２４】
好ましくは、１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加する。
【０１２５】
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０１２６】
２、ＳＰＳ周波数領域リソースの一部が同様であれば、端末に、１つの同様なＳＰＳ周波数領域リソース設定情報を送信し、かつ、端末に異なるＳＰＳ周期を送信する。
【０１２７】
ＳＰＳ周波数領域リソースの一部が同様であれば、一部のＳＰＳ周波数領域リソース設定情報は同様であり、一部のＳＰＳ周波数領域リソース設定情報は異なる。
【０１２８】
１）ＳＰＳ周期はＲＲＣシグナリングにより送信される。
【０１２９】
実施中、ネットワーク装置は、ＳＰＳ周期を、サービスに対応するＳＰＳ Ｃ−ＲＮＴＩが含まれるＲＲＣシグナリングに含ませて、端末に送信する。
【０１３０】
一方、端末が受信した後、ＲＲＣシグナリング内の全部のＳＰＳ周期が同一のサービスに対応すると確定する。
【０１３１】
実施中、ＳＰＳ周波数領域リソースを送信するとき、ネットワーク装置は、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【０１３２】
１つのＰＤＣＣＨシグナリングに全部のＳＰＳ周波数領域リソース設定情報が含まれば、ネットワーク装置は、ＳＰＳ周波数領域リソース設定情報を、ＳＰＳ Ｃ−ＲＮＴＩによってスクランブルされたＰＤＣＣＨシグナリングに含ませ、また、ＰＤＣＣＨシグナリングに、ＳＰＳ周期とＳＰＳ周波数領域リソース設定情報の対応関係を含ませる。
【０１３３】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のＳＰＳ周波数領域リソース設定情報がＲＲＣシグナリングないのどちらＳＰＳ周期に対応するのかを、知ることができる。
【０１３４】
ＰＤＣＣＨシグナリングごとに、１つのＳＰＳ周波数領域リソース設定情報が含まれば、ネットワーク装置は、ＳＰＳ周波数領域リソース設定情報を、ＳＰＳ Ｃ−ＲＮＴＩによってスクランブルされたＰＤＣＣＨシグナリングに含ませ、かつ、ＰＤＣＣＨシグナリングに、当該ＳＰＳ周波数領域リソース設定情報とＳＰＳ周期の対応関係を含ませる。
【０１３５】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のＳＰＳ周波数領域リソース設定情報がＲＲＣシグナリング内のどちらのＳＰＳ周期に対応するのかを、知ることができる。
【０１３６】
２）ＳＰＳ周期は、ＰＤＣＣＨシグナリングにより送信される。
【０１３７】
実施中、ＳＰＳ周波数領域リソースを送信するとき、ネットワーク装置は、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【０１３８】
１つのＰＤＣＣＨシグナリングに全部のＳＰＳ周波数領域リソース設定情報が含まれば、ネットワーク装置は、全部のＳＰＳ周波数領域リソース設定情報及び全部のＳＰＳ周期を、ＳＰＳ Ｃ−ＲＮＴＩによってスクランブルされたＰＤＣＣＨシグナリングに含ませ、また、ＰＤＣＣＨシグナリングに、ＳＰＳ周期とＳＰＳ周波数領域リソース設定情報の対応関係を含ませる。
【０１３９】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のどちらのＳＰＳ周波数領域リソース設定情報がどちらのＳＰＳ周期に対応するのかを、知ることができる。
【０１４０】
１つのＰＤＣＣＨシグナリングに１つのＳＰＳ周波数領域リソース設定情報を含ませば、ネットワーク装置は、ＳＰＳ周波数領域リソース設定情報及び当該ＳＰＳ周波数領域リソース設定情報に対応するＳＰＳ周期を、ＳＰＳ Ｃ−ＲＮＴＩによってスクランブルされたＰＤＣＣＨシグナリングに含ませることができる。
【０１４１】
一方、端末は、ＰＤＣＣＨシグナリングを受信した後、ＰＤＣＣＨシグナリング内のＳＰＳ周波数領域リソース設定情報がＰＤＣＣＨシグナリング内のＳＰＳ周期に対応することを、知る。
【０１４２】
好ましくは、前記ネットワーク装置は、前記ＰＤＣＣＨシグナリングに、ＳＰＳ構成に対応するＳＰＳ構成インデックスを示すＳＰＳ構成インデックス情報が含まれることもできる。
【０１４３】
例えば、ＳＰＳ構成インデックスはＮビットであることができる。Ｎの値は、１つのサービスのＳＰＳ構成の組数によって決められ、例えば、１サービスに２組のＳＰＳ構成を必要とすると、Ｎの値を２ｂｉｔとする。００で第１組のＳＰＳ構成を識別し、０１で第１組のＳＰＳ構成の再設定を識別し、１０で第２組のＳＰＳ構成を識別し、１１で第２組のＳＰＳ構成の再設定を識別する。
【０１４４】
好ましくは、１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加する。
【０１４５】
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０１４６】
＜状況３＞ＳＰＳ周期それぞれ異なり、ＳＰＳ周波数領域リソースそれぞれ異なる。
【０１４７】
１）ＳＰＳ周期はＲＲＣシグナリングにより送信される。
【０１４８】
実施中、ネットワーク装置は、ＳＰＳ周期を、サービスに対応するＳＰＳ Ｃ−ＲＮＴＩが含まれるＲＲＣシグナリングに含ませて、端末に送信する。
【０１４９】
一方、端末は、ＲＲＣシグナリング内の全部のＳＰＳ周期が同一のサービスに対応することを知る。
【０１５０】
実施中、ＳＰＳ周波数領域リソースを送信するとき、ネットワーク装置は、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【０１５１】
１つのＰＤＣＣＨシグナリングに全部のＳＰＳ周波数領域リソース設定情報が含まれば、ネットワーク装置は、ＳＰＳ周波数領域リソース設定情報を、ＳＰＳ Ｃ−ＲＮＴＩによってスクランブルされたＰＤＣＣＨシグナリングに含ませ、また、ＰＤＣＣＨシグナリングに、ＳＰＳ周期とＳＰＳ周波数領域リソース設定情報の対応関係を含ませる。
【０１５２】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のＳＰＳ周波数領域リソース設定情報がＲＲＣシグナリングないのどちらＳＰＳ周期に対応するのかを、知ることができる。
【０１５３】
ＰＤＣＣＨシグナリングごとに、１つのＳＰＳ周波数領域リソース設定情報が含まれば、ネットワーク装置は、ＳＰＳ周波数領域リソース設定情報を、ＳＰＳ Ｃ−ＲＮＴＩによってスクランブルされたＰＤＣＣＨシグナリングに含ませ、かつ、ＰＤＣＣＨシグナリングに、当該ＳＰＳ周波数領域リソース設定情報とＳＰＳ周期の対応関係を含ませる。
【０１５４】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のＳＰＳ周波数領域リソース設定情報がＲＲＣシグナリング内のどちらのＳＰＳ周期に対応するのかを、知ることができる。
【０１５５】
２）ＳＰＳ周期は、ＰＤＣＣＨシグナリングにより送信される。
【０１５６】
実施中、ＳＰＳ周波数領域リソースを送信するとき、ネットワーク装置は、１つのＰＤＣＣＨシグナリングに全部のＳＰＳ周波数領域リソース設定情報を含ませることができ、ＰＤＣＣＨシグナリングごとに１つのＳＰＳ周波数領域リソース設定情報を含ませることもできる。
【０１５７】
１つのＰＤＣＣＨシグナリングに全部のＳＰＳ周波数領域リソース設定情報が含まれば、ネットワーク装置は、全部のＳＰＳ周波数領域リソース設定情報及び全部のＳＰＳ周期を、ＳＰＳ Ｃ−ＲＮＴＩによってスクランブルされたＰＤＣＣＨシグナリングに含ませ、ＰＤＣＣＨシグナリングに、ＳＰＳ周期とＳＰＳ周波数領域リソース設定情報の対応関係を含ませる。
【０１５８】
一方、端末は、ＰＤＣＣＨシグナリングを受信した後、ＳＰＳ Ｃ−ＲＮＴＩによってスクランブルされたＰＤＣＣＨシグナリング内のＳＰＳ周期とＳＰＳ周波数領域リソース設定情報の対応関係に基づき、ＰＤＣＣＨシグナリング内のどちらのＳＰＳ周波数領域リソース設定情報がどちらのＳＰＳ周期に対応するのかを、知ることができる。
【０１５９】
１つのＰＤＣＣＨシグナリングに１つのＳＰＳ周波数領域リソース設定情報を含ませば、ネットワーク装置は、ＳＰＳ周波数領域リソース設定情報及び当該ＳＰＳ周波数領域リソース設定情報に対応するＳＰＳ周期を、ＳＰＳ Ｃ−ＲＮＴＩによってスクランブルされたＰＤＣＣＨシグナリングに含ませることができる。
【０１６０】
また、端末は、ＰＤＣＣＨシグナリングを受信した後、ＰＤＣＣＨシグナリング内のＳＰＳ周波数領域リソース設定情報がＰＤＣＣＨシグナリング内のＳＰＳ周期に対応することがわかる。
【０１６１】
好ましくは、前記ネットワーク装置は、前記ＰＤＣＣＨシグナリングに、ＳＰＳ構成に対応するＳＰＳ構成インデックスを示すＳＰＳ構成インデックス情報が含まれることもできる。
【０１６２】
例えば、ＳＰＳ構成インデックスはＮビットであることができる。Ｎの値は、１つのサービスのＳＰＳ構成の組数によって決められ、例えば、１サービスに２組のＳＰＳ構成を必要とすると、Ｎの値を２ｂｉｔとする。００で第１組のＳＰＳ構成を識別し、０１で第１組のＳＰＳ構成の再設定を識別し、１０で第２組のＳＰＳ構成を識別し、１１で第２組のＳＰＳ構成の再設定を識別する。
【０１６３】
好ましくは、１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０１６４】
以上、ネットワーク装置が端末のために複数のＳＰＳ構成を設定することを説明した。
【０１６５】
設定後、前記ＳＰＳ構成に基づき、サービス伝送を行うことができる。
【０１６６】
ＳＰＳ構成がアップリンクＳＰＳ構成であれば、ネットワーク装置が送信端であり、端末は受信端である。
【０１６７】
ＳＰＳ構成がダウンリンクＳＰＳ構成であれば、ネットワーク装置は受信端であり、端末は送信端である。
【０１６８】
ここで、送信端の場合、複数のＳＰＳ構成から、端末に用いられる必要があるＳＰＳ構成を選出する必要がある。
【０１６９】
一方、受信端は、送信端が複数のＳＰＳ構成から選出された端末に用いられる必要があるＳＰＳ構成（例えば、サービスモデル等情報に基づく）を推測できれば、推測した端末に用いられる必要があるＳＰＳ構成に基づき、ＳＰＳデータを受信することができる。さもないと、複数のＳＰＳリソースをブラインド検出する必要がある。
【０１７０】
受信端の推測方式の以外、送信端及び受信端が具体的な選出条件を約定すれば、受信端は、約定した具体的な選出条件に従って、送信端が複数のＳＰＳ構成から選出した端末に用いられる必要があるＳＰＳ構成に基づき、端末に用いられる必要があるＳＰＳ構成を直接に検出することができる。
【０１７１】
好ましくは、送信端は、複数のＳＰＳ構成から端末に用いられる必要があるＳＰＳ構成を選出するとき、前記複数のＳＰＳ構成が時間領域においてオーバーラップがなければ、前記ネットワーク装置は、前記複数のＳＰＳ構成を、前記端末に用いられる必要があるＳＰＳ構成とする。
【０１７２】
また、前記複数のＳＰＳ構成が時間領域においてオーバーラップがあれば、前記ネットワーク装置は、所定の選出条件にしたがって、前記複数のＳＰＳ構成から、確定前記端末に用いられる必要があるＳＰＳ構成を確定する。
【０１７３】
好ましくは、前記選出条件は、下記条件のうちの１つである。
*  最大のＳＰＳ周波数領域リソースブロックを選出する。
*  最小のＳＰＳ周波数領域リソースブロックを選出する。
*  伝送すべきのデータに応じて、ＳＰＳ周波数領域リソースブロックを選出する。
【０１７４】
Ｖ２Ｖを例とし、送信端において、同一のサービスに対して２組のＳＰＳ構成があり、送信端が、時間領域においてオーバーラップするＳＰＳ周波数領域リソースを、最大ＳＰＳ周波数領域リソースブロックに基づいて確定すれば、送信端により確定したＳＰＳ周波数領域リソースは、図２に示すとおりである。
【０１７５】
Ｔ１位置及びＴ１+５００ｍｓ位置にＳＰＳ周波数領域リソースにおけるオーバーラップが存在し、最大ＳＰＳ周波数領域リソースブロックに基づき、ＳＰＳ構成２を選択する。他の位置にＳＰＳ周波数領域リソースにおけるオーバーラップが存在しないため、使用可能のＳＰＳ周波数領域リソースを選択する。
【０１７６】
最小ＳＰＳ周波数領域リソースブロックに基づいて確定すれば、図２において、Ｔ１位置及びＴ１+５００ｍｓ位置にＳＰＳ周波数領域リソースにおけるオーバーラップが存在するため、ＳＰＳ構成１を選択する必要がある。
【０１７７】
伝送すべきのデータに応じて、ＳＰＳ周波数領域リソースブロックを選出すれば、伝送すべきのデータサイズに基づき、伝送すべきのデータより小さくないＳＰＳ周波数領域リソースブロックを選出する。例えば、図２において、Ｔ１位置及びＴ１+５００ｍｓ位置にＳＰＳ周波数領域リソースにおけるオーバーラップが存在し、ＳＰＳ構成１を選定すると伝送すべきのデータを伝送できれば、ＳＰＳ構成１を選出する。ＳＰＳ構成１の場合、伝送すべきのデータを伝送できなければ、ＳＰＳ構成２が伝送すべきのデータを伝送できれば、ＳＰＳ構成２を選出する。
【０１７８】
好ましくは、ネットワーク装置が端末のために複数のＳＰＳ構成を設定した後、ＳＰＳ構成をリリースする必要がある場合、複数のＳＰＳ構成をリリースする（ＳＰＳ構成をリリースするトリガー条件は多様であり、例えば、対応のサービスが完成、サービスを終了する等）。
【０１７９】
本出願に係る実施例は、暗示的な及び明示的な２種のリリース方式を提供し、以下、それぞれに説明する。
【０１８０】
（一）暗示的なリリース方式。
ＳＰＳ構成は、アップリンクＳＰＳ構成であれば、各々ＳＰＳ構成に対し、前記端末は、前記ＳＰＳ構成のリソースにおいて、前記ネットワーク装置に、連続Ｎ個のデータ部分がないｐａｄｄｉｎｇ  ＢＳＲ（Ｂｕｆｆｅｒ Ｓｔａｔｕｓ Ｒｅｐｏｒｔ）を送信し、前記ネットワーク装置前記ＳＰＳ構成をリリースすることを通知する。
【０１８１】
一方、各々ＳＰＳ構成に対し、ネットワーク装置は、前記ＳＰＳ構成に対応する周波数領域リソースにおいて、連続Ｎ個のデータ部分がないｐａｄｄｉｎｇ ＢＳＲを受信した後、前記端末に対する前記ＳＰＳ構成をリリースする。
【０１８２】
（二）明示的なリリース方式。
ネットワーク装置は、ＳＰＳ Ｃ−ＲＮＴＩによってスクランブルされた少なくとも１つのＰＤＣＣＨシグナリングを介して、端末のために設定した複数のＳＰＳ構成をリリースする（例えば、ＰＤＣＣＨシグナリング内のある（または、いくつ）フィールドを特殊値にすれば、当該ＰＤＣＣＨシグナリングがＰＤＣＣＨシグナリングをリリースするのに用いられるものであることを示す）。
【０１８３】
一方、端末は、ＳＰＳ Ｃ−ＲＮＴＩによってスクランブルされた用于リリース的少なくとも１つのＰＤＣＣＨシグナリングを受信した後、複数のＳＰＳ構成をリリースする。
【０１８４】
ここで、本出願の実施例に係るネットワール装置は、基地局（例えばマクロ基地局（進化型基地局を含む）、ホーム基地局など）であり、ＲＮ（中継）装置であっても、他のネットワール装置であってもよい。
【０１８５】
図３に示すように、本出願の実施例に係る第１種のネットワーク装置は、
複数のＳＰＳ構成に対応するＳＰＳ Ｃ−ＲＮＴＩを確定する第１識別子確定モジュール３００と、
ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する処理モジュール３０１とを備える。
【０１８６】
好ましくは、前記処理モジュール３０１は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信すれば、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、ＲＲＣシグナリングを介して、複数のＳＰＳ構成それぞれに対応するＳＰＳ周期を端末に送信する。
【０１８７】
好ましくは、前記処理モジュール３０１は、同様なＳＰＳ周期であれば、ＲＲＣシグナリングごとに、１つの前記同様なＳＰＳ周期を含ませる。
【０１８８】
好ましくは、全部または一部のＳＰＳ構成に対応するＳＰＳ周期は同様である。
【０１８９】
前記処理モジュール３０１は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、ＰＤＣＣＨシグナリングごとに１つの前記同様なＳＰＳ周期を含ませる。
【０１９０】
好ましくは、複数のＳＰＳ構成に対応するＳＰＳ周期は全く同じではない。
【０１９１】
前記処理モジュール３０１は、複数のＳＰＳ構成に対応するＳＰＳ周波数領域リソース設定情報を端末に送信する前、ＰＤＣＣＨシグナリングに、ＳＰＳ周期とＳＰＳ周波数領域リソース設定情報の対応関係を含ませる。
【０１９２】
好ましくは、全部または一部のＳＰＳ構成に対応するＳＰＳ周波数領域リソース設定情報は同様である。
【０１９３】
前記処理モジュール３０１は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、ＰＤＣＣＨシグナリングごとに、前記同様なＳＰＳ周波数領域リソース設定情報を含ませる。
【０１９４】
好ましくは、前記処理モジュール３０１は、複数のＳＰＳ構成に対応するＳＰＳ周波数領域リソース設定情報を端末に送信する前、前記ＰＤＣＣＨシグナリングに、ＳＰＳ構成に対応するＳＰＳ構成インデックスを示すＳＰＳ構成インデックス情報を含ませる。
【０１９５】
好ましくは、前記処理モジュール３０１は、１組のＳＰＳ構成に対し、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加する。
【０１９６】
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０１９７】
好ましくは、前記処理モジュール３０１は、複数のＳＰＳ構成に対応するＳＰＳ周波数領域リソース設定情報を端末に送信した後、ＳＰＳ Ｃ−ＲＮＴＩによってスクランブルされた少なくとも１つのＰＤＣＣＨシグナリングを介して、端末のために設定した複数のＳＰＳ構成をリリースする。
【０１９８】
好ましくは、前記処理モジュール３０１は、複数のＳＰＳ構成に対応するＳＰＳ周波数領域リソース設定情報を端末に送信した後、前記ＳＰＳ構成が、アップリンクＳＰＳ構成であれば、各々ＳＰＳ構成に対し、前記ＳＰＳ構成に対応するリソースにおいて、連続Ｎ個のデータ部分がないｐａｄｄｉｎｇ ＢＳＲを受信した後、前記ＳＰＳ構成をリリースする。
【０１９９】
好ましくは、前記処理モジュール３０１は、複数のＳＰＳ構成に対応するＳＰＳ周波数領域リソース設定情報を端末に送信した後、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【０２００】
好ましくは、前記選出条件は、下記条件のうちの１つである。
【０２０１】
＊  最大のＳＰＳ周波数領域リソースブロックを選出し、
＊  最小のＳＰＳ周波数領域リソースブロックを選出し、
＊  伝送すべきのデータに応じて、ＳＰＳ周波数領域リソースブロックを選出する。
【０２０２】
図４に示すように、本出願の実施例に係る第１種の端末は、
複数のＳＰＳ構成に対応するＳＰＳ Ｃ−ＲＮＴＩを確定する第２識別子確定モジュール４００と、
ネットワーク装置からＳＰＳ Ｃ−ＲＮＴＩによってスクランブルされたＰＤＣＣＨシグナリングを受信する受信モジュール４０１と、
ＳＰＳ Ｃ−ＲＮＴＩによってスクランブルされたＰＤＣＣＨシグナリングに基づき、ネットワーク側装置が前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する構成確定モジュール４０２とを備える。
【０２０３】
好ましくは、前記構成確定モジュール４０２は、ＳＰＳ Ｃ−ＲＮＴＩによってスクランブルされたＰＤＣＣＨシグナリングに基づき、ネットワーク装置により前記端末のために設定した複数のＳＰＳ構成に対応するＳＰＳ周波数領域リソース設定情報を確定し，確定した情報に基づき、複数のＳＰＳ構成を確定する前、ＲＲＣシグナリングに基づき、ネットワーク装置により前記端末のために設定した複数のＳＰＳ構成に対応するＳＰＳ周期を確定する。
【０２０４】
好ましくは、前記構成確定モジュール４０２は、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【０２０５】
好ましくは、前記選出条件は、下記条件のうちの１つである。
*  最大のＳＰＳ周波数領域リソースブロックを選出する。
*  最小のＳＰＳ周波数領域リソースブロックを選出する。
*  伝送すべきのデータに応じて、ＳＰＳ周波数領域リソースブロックを選出する。
【０２０６】
好ましくは、前記構成確定モジュール４０２は、
前記ＳＰＳ構成がアップリンクＳＰＳ構成であれば、各々ＳＰＳ構成に対し、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信する。
【０２０７】
図５に示すように、本出願の実施例に係る第２種のネットワーク装置は、プロセッサ５０１と、送受信機５０２とを備える。
【０２０８】
前記プロセッサ５０１は、メモリ５０４に格納されたプログラムを読み出し、複数のＳＰＳ構成に対応するＳＰＳ Ｃ−ＲＮＴＩを確定し、ＳＰＳ Ｃ−ＲＮＴＩによってスクランブルされたＰＤＣＣＨシグナリングを介して、送受信機により、５０２複数のＳＰＳ構成に対応するＳＰＳ周期および/または複数のＳＰＳ構成に対応するＳＰＳ周波数領域リソース設定情報を端末に送信する。
【０２０９】
前記送受信機５０２は、プロセッサ５０１の制御により、データを送受信する。
【０２１０】
好ましくは、プロセッサ５０１は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信すれば、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、ＲＲＣシグナリングを介して、複数のＳＰＳ構成それぞれに対応するＳＰＳ周期を端末に送信する。
【０２１１】
好ましくは、プロセッサ５０１は、同様なＳＰＳ周期であれば、ＲＲＣシグナリングごとに、１つの前記同様なＳＰＳ周期を含ませる。
【０２１２】
好ましくは、全部または一部のＳＰＳ構成に対応するＳＰＳ周期は同様である。
【０２１３】
プロセッサ５０１は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、ＰＤＣＣＨシグナリングごとに１つの前記同様なＳＰＳ周期を含ませる。
【０２１４】
好ましくは、複数のＳＰＳ構成に対応するＳＰＳ周期は全く同じではない。
【０２１５】
プロセッサ５０１は、複数のＳＰＳ構成に対応するＳＰＳ周波数領域リソース設定情報を端末に送信する前、ＰＤＣＣＨシグナリングに、ＳＰＳ周期とＳＰＳ周波数領域リソース設定情報の対応関係を含ませる。
【０２１６】
好ましくは、全部または一部のＳＰＳ構成に対応するＳＰＳ周波数領域リソース設定情報は同様である。
【０２１７】
プロセッサ５０１は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、ＰＤＣＣＨシグナリングごとに、前記同様なＳＰＳ周波数領域リソース設定情報を含ませる。
【０２１８】
好ましくは、プロセッサ５０１は、複数のＳＰＳ構成に対応するＳＰＳ周波数領域リソース設定情報を端末に送信する前、前記ＰＤＣＣＨシグナリングに、ＳＰＳ構成に対応するＳＰＳ構成インデックスを示すＳＰＳ構成インデックス情報を含ませる。
【０２１９】
好ましくは、プロセッサ５０１は、１組のＳＰＳ構成に対し、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加する。
【０２２０】
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０２２１】
好ましくは、プロセッサ５０１は、複数のＳＰＳ構成に対応するＳＰＳ周波数領域リソース設定情報を端末に送信した後、ＳＰＳ Ｃ−ＲＮＴＩによってスクランブルされた少なくとも１つのＰＤＣＣＨシグナリングを介して、端末のために設定した複数のＳＰＳ構成をリリースする。
【０２２２】
好ましくは、プロセッサ５０１は、複数のＳＰＳ構成に対応するＳＰＳ周波数領域リソース設定情報を端末に送信した後、前記ＳＰＳ構成が、アップリンクＳＰＳ構成であれば、各々ＳＰＳ構成に対し、前記ＳＰＳ構成に対応するリソースにおいて、連続Ｎ個のデータ部分がないｐａｄｄｉｎｇ ＢＳＲを受信した後、前記ＳＰＳ構成をリリースする。
【０２２３】
好ましくは、プロセッサ５０１は、複数のＳＰＳ構成に対応するＳＰＳ周波数領域リソース設定情報を端末に送信した後、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【０２２４】
好ましくは、前記選出条件は、下記条件のうちの１つである。
*  最大のＳＰＳ周波数領域リソースブロックを選出する。
*  最小のＳＰＳ周波数領域リソースブロックを選出する。
*  伝送すべきのデータに応じて、ＳＰＳ周波数領域リソースブロックを選出する。
【０２２５】
図５において、バスアーキテクチャ（バス５００が代表となる）は、バス５００は、いずれ数の相互接続するバス及びブリッジを備える。バス５００は、プロセッサ５０１が代表となる１つまたは複数のプロセッサ及びメモリ５０４が代表となるメモリの多様な回路により接続される。バス５００バスアーキテクチャは、外部設備、電圧レギュレーター及び電力管理回路等の他の回路を接続することもできる。これらは、当該分野の周知技術であるため、本発明において、詳細に説明しない。バスインターフェース５０３は、バス５００及び送受信機５０２の間にインターフェースを提供する。送受信機５０２は、１つまたは複数の部品であることができ、例えば、複数の送信機及び受信機を備え、伝送媒体を介して他の装置と通信するユニットを提供するプロセッサ５０１により処理されたデータは、アンテナ５０５を介して、無線において伝送され、また、アンテナ５０５は、データを受信して、データをプロセッサ５０１に送信する。
【０２２６】
プロセッサ５０１は、バス５００及び通常の処理を管理し、また、タイミング、外周イーターフェス、電圧調整、電源管理、その他の制御機能も様々な機能を提供する。メモリ５０４は、プロセッサ５０１が動作する際に利用するデータを記憶することができる。
【０２２７】
好ましくは、プロセッサ５０１は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ-Ｐｒｏｇｒａｍｍａｂｌｅ Ｇａｔｅ Ａｒｒａｙ）または、ＣＰＬＤ（Ｃｏｍｐｌｅｘ Ｐｒｏｇｒａｍｍａｂｌｅ Ｌｏｇｉｃ Ｄｅｖｉｃｅ）であることができる。
【０２２８】
図６に示すように、本出願の実施例にに係る第２種の端末は、プロセッサ６０１と、送受信機６０２とを備える。
【０２２９】
前記プロセッサ６０１は、メモリ６０４に格納されたプログラムを読み出し、複数のＳＰＳ構成に対応するＳＰＳ Ｃ−ＲＮＴＩを確定し、送受信機６０２により、ネットワーク装置からＳＰＳ Ｃ−ＲＮＴＩによってスクランブルされたＰＤＣＣＨシグナリングを受信する。ＳＰＳ Ｃ−ＲＮＴＩによってスクランブルされたＰＤＣＣＨシグナリングに基づき、ネットワーク側装置が前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する。
【０２３０】
前記送受信機６０２は、プロセッサ６０１の制御により、データを送受信する。
【０２３１】
好ましくは、プロセッサ６０１は、ＳＰＳ Ｃ−ＲＮＴＩによってスクランブルされたＰＤＣＣＨシグナリングに基づき、ネットワーク装置により前記端末のために設定した複数のＳＰＳ構成に対応するＳＰＳ周波数領域リソース設定情報を確定し，確定した情報に基づき、複数のＳＰＳ構成を確定する前、ＲＲＣシグナリングに基づき、ネットワーク装置により前記端末のために設定した複数のＳＰＳ構成に対応するＳＰＳ周期を確定する。
【０２３２】
好ましくは、プロセッサ６０１は、前記複数のＳＰＳ構成が時間領域においてオーバーラップがなければ、前記複数のＳＰＳ構成を、前記端末に用いられる必要があるＳＰＳ構成とし、前記複数のＳＰＳ構成が時間領域においてオーバーラップがあれば、所定の選出条件に従って、前記複数のＳＰＳ構成から、前記端末に用いられる必要があるＳＰＳ構成を確定する。
【０２３３】
好ましくは、前記選出条件は、下記条件のうちの１つである。
*  最大のＳＰＳ周波数領域リソースブロックを選出する。
*  最小のＳＰＳ周波数領域リソースブロックを選出する。
*  伝送すべきのデータに応じて、ＳＰＳ周波数領域リソースブロックを選出する。
【０２３４】
好ましくは、プロセッサ６０１は、前記ＳＰＳ構成がアップリンクＳＰＳ構成であれば、各々ＳＰＳ構成に対し、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信する。
【０２３５】
図６において、バスアーキテクチャ（バス６００が代表となる）は、バス６００は、いずれ数の相互接続するバス及びブリッジを備える。バス６００は、汎用プロセッサ６０１が代表となる１つまたは複数のプロセッサ及びメモリ６０４が代表となるメモリの多様な回路により接続される。バス６００バスアーキテクチャは、外部設備、電圧レギュレーター及び電力管理回路等の他の回路を接続することもできる。これらは、当該分野の周知技術であるため、本発明において、詳細に説明しない。バスインターフェース６０３は、バス６００及び送受信機６０２の間にインターフェースを提供する。送受信機６０２は、１つまたは複数の部品であることができ、例えば、複数の送信機及び受信機を備え、伝送媒体を介して他の装置と通信するユニットを提供する。例えば、送受信機６０２は他の装置から外部データを受信する。送受信機６０２は、プロセッサ６０１は、により処理されたデータを他の装置に送信する。コンピュータシステム性質に決められ、ユーザーインターフェース６０５を提供することもでき、例えば、キーパッド、ディスプレー、スピーカー、マイクロホン、ジョイスティック。
【０２３６】
プロセッサ６０１は、バス６００及び通常の処理を管理し、例えば、前記運行汎用操作システム。メモリ６０４は、プロセッサ６０１が動作する際に利用するデータを記憶することができる。
【０２３７】
好ましくは、プロセッサ６０１は、ＣＰＵ、ＡＳＩＣ、ＦＰＧＡまたはＣＰＬＤであることができる。
【０２３８】
同様な発明思想に基づき、本出願に係る実施例は、セミパーシステントスケジューリングを設定する方法を提供する。当該方法に対応する装置は本出願に係る実施例チャネル推定システムにおけるネットワーク装置であり、かつ当該方法の課題解決原理は当該システムと類似するため、当該方法の実施はシステムの実施を参考すればよく、繰り返して説明しない。
【０２３９】
図７に示すように、本出願の実施例に係る第１種のセミパーシステントスケジューリングを設定する方法は、以下のステップを備える。
【０２４０】
ステップ７００において、ネットワーク側装置は、複数のＳＰＳ構成に対応するＳＰＳ Ｃ−ＲＮＴＩを確定する。
【０２４１】
ステップ７０１において、前記ネットワーク側装置は、ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する。
【０２４２】
好ましくは、前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する。
【０２４３】
また、前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、前記ネットワーク装置は、ＲＲＣシグナリングを介して、複数のＳＰＳ構成それぞれに対応するＳＰＳ周期を端末に送信する。
【０２４４】
好ましくは、前記ネットワーク装置は、ＲＲＣシグナリングを介して、複数のＳＰＳ構成それぞれに対応するＳＰＳ周期を端末に送信する場合、同様なＳＰＳ周期であれば、前記ネットワーク装置は、ＲＲＣシグナリングごとに前記同様なＳＰＳ周期を含ませる。
【０２４５】
好ましくは、全部または一部のＳＰＳ構成に対応するＳＰＳ周期は同様である。
【０２４６】
前記ネットワーク側装置は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、同様なＳＰＳ周期であれば、前記ネットワーク装置は、ＰＤＣＣＨシグナリングごとに、１つの前記同様なＳＰＳ周期を含ませる。
【０２４７】
好ましくは、複数のＳＰＳ構成に対応するＳＰＳ周期は全く同じではない。
【０２４８】
前記ネットワーク装置が、複数のＳＰＳ構成に対応するＳＰＳ周波数領域リソース設定情報を端末に送信する前、前記ネットワーク装置は、ＰＤＣＣＨシグナリングに、ＳＰＳ周期とＳＰＳ周波数領域リソース設定情報の対応関係を含ませる。
【０２４９】
好ましくは、全部または一部のＳＰＳ構成に対応するＳＰＳ周波数領域リソース設定情報は同様であるる。
【０２５０】
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、同様なＳＰＳ周波数領域リソース設定情報に対し、前記ネットワーク装置は、ＰＤＣＣＨシグナリングごとに、１つの前記同様なＳＰＳ周波数領域リソース設定情報を含ませる。
【０２５１】
好ましくは、前記ネットワーク装置が、複数のＳＰＳ構成に対応するＳＰＳ周波数領域リソース設定情報を端末に送信する前、前記ネットワーク装置は、前記ＰＤＣＣＨシグナリングに、ＳＰＳ構成に対応するＳＰＳ構成インデックスを示すＳＰＳ構成インデックス情報を含ませる。
【０２５２】
好ましくは、前記ネットワーク装置が、複数のＳＰＳ構成に対応するＳＰＳ周波数領域リソース設定情報を端末に送信する場合、１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加する。
【０２５３】
ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０２５４】
好ましくは、前記ネットワーク装置が、複数のＳＰＳ構成に対応するＳＰＳ周波数領域リソース設定情報を端末に送信した後、前記ネットワーク装置は、ＳＰＳ Ｃ−ＲＮＴＩによってスクランブルされた少なくとも１つのＰＤＣＣＨシグナリングを介して、端末のために設定した複数のＳＰＳ構成をリリースする。
【０２５５】
好ましくは、前記ネットワーク装置が、複数のＳＰＳ構成に対応するＳＰＳ周波数領域リソース設定情報を端末に送信した後、前記ＳＰＳ構成は、アップリンクＳＰＳ構成であり、各々ＳＰＳ構成に対し、前記ネットワーク装置は、前記ＳＰＳ構成に対応するリソースにおいて、連続Ｎ個のデータ部分がないｐａｄｄｉｎｇ ＢＳＲを受信した後、前記ＳＰＳ構成をリリースする。
【０２５６】
好ましくは、前記ネットワーク装置が、複数のＳＰＳ構成に対応するＳＰＳ周波数領域リソース設定情報を端末に送信した後、前記複数のＳＰＳ構成が時間領域においてオーバーラップがなければ、前記ネットワーク装置は、前記複数のＳＰＳ構成を、前記端末に用いられる必要があるＳＰＳ構成とする。
【０２５７】
また、前記複数のＳＰＳ構成が時間領域においてオーバーラップがあれば、前記ネットワーク装置は、所定の選出条件にしたがって、前記複数のＳＰＳ構成から、確定前記端末に用いられる必要があるＳＰＳ構成を確定する。
【０２５８】
好ましくは、前記選出条件は、下記条件のうちの１つである。
*  最大のＳＰＳ周波数領域リソースブロックを選出する。
*  最小のＳＰＳ周波数領域リソースブロックを選出する。
*  伝送すべきのデータに応じて、ＳＰＳ周波数領域リソースブロックを選出する。
【０２５９】
同様な発明思想に基づき、本出願に係る実施例は、セミパーシステントスケジューリングを確定する方法をさらに提供する。当該方法に対応する装置は本出願に係る実施例チャネルステイシステムにおける端末であり、かつ当該方法の課題解決原理は当該システムと類似するため、当該方法の実施はシステムの実施を参考すればよく、繰り返して説明しない。
【０２６０】
図８に示すように、本出願の実施例に係る第２種のセミパーシステントスケジューリングを確定する方法は以下のステップを備える。
【０２６１】
ステップ８００において、端末は、複数のＳＰＳ構成に対応するＳＰＳ Ｃ−ＲＮＴＩを確定する。
【０２６２】
ステップ８０１において、前記端末は、ＳＰＳ Ｃ−ＲＮＴＩによってスクランブルされたＰＤＣＣＨシグナリングをネットワーク側装置から受信する。
【０２６３】
ステップ８０２において、前記端末は、前記ＳＰＳ Ｃ−ＲＮＴＩによってスクランブルされたＰＤＣＣＨシグナリングに基づき、ネットワーク側装置が前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する。
【０２６４】
好ましくは、前記端末は、前記ＳＰＳ Ｃ−ＲＮＴＩによってスクランブルされたＰＤＣＣＨシグナリングに基づき、ネットワーク装置により前記端末のために設定した複数のＳＰＳ構成に対応するＳＰＳ周波数領域リソース設定情報を確定する。
【０２６５】
前記端末が確定した情報に基づき、複数のＳＰＳ構成を確定する前、前記端末は、ＲＲＣシグナリングを介して、ネットワーク装置により前記端末のために設定した複数のＳＰＳ構成に対応するＳＰＳ周期を確定する。
【０２６６】
好ましくは、前記端末が複数のＳＰＳ構成を確定した後、前記複数のＳＰＳ構成が時間領域においてオーバーラップがなければ、前記端末は、前記複数のＳＰＳ構成を、前記端末に用いられる必要があるＳＰＳ構成とする。
【０２６７】
また、前記複数のＳＰＳ構成が時間領域においてオーバーラップがあれば、前記端末は、所定の選出条件にしたがって、前記複数のＳＰＳ構成から、前記端末に用いられる必要があるＳＰＳ構成を確定する。
【０２６８】
好ましくは、前記選出条件は、下記条件のうちの１つである。
*  最大のＳＰＳ周波数領域リソースブロックを選出する。
*  最小のＳＰＳ周波数領域リソースブロックを選出する。
*  伝送すべきのデータに応じて、ＳＰＳ周波数領域リソースブロックを選出する。
【０２６９】
好ましくは、前記端末が複数のＳＰＳ構成を確定した後、前記ＳＰＳ構成は、アップリンクＳＰＳ構成であり、各々ＳＰＳ構成に対し、前記端末は、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信する。
【０２７０】
以下例を挙げながら、本出願の技術案を詳細に説明する。
【０２７１】
＜実施例１＞複数のＳＰＳ構成に対応するＳＰＳ周期は同様である，ＳＰＳ周波数領域リソースは異なる。
【０２７２】
ステップ１において、基地局は、同一のサービスに対するＳＰＳ Ｃ−ＲＮＴＩ及びＳＰＳ周期を確定して、端末に通知する。
【０２７３】
複数のＳＰＳ構成に対応するＳＰＳ周期は同様であれば、基地局は、ＳＰＳ Ｃ−ＲＮＴＩのＲＲＣシグナリングを設定することにより、シグナリングにＳＰＳ周期を含ませる。
【０２７４】
ステップ２において、基地局は、ＳＰＳを活性化するためのＰＤＣＣＨシグナリングを送信する。
【０２７５】
ＰＤＣＣＨシグナリングは、以下のような２つの方式を有する
方式１: 基地局は、ＰＤＣＣＨシグナリングに、複数のＳＰＳ構成に対応するＳＰＳ周波数領域リソース設定情報を含ませる。
【０２７６】
例えば、ＳＰＳ周波数領域リソース設定情報Ａ及びＳＰＳ周波数領域リソース設定情報Ｂがあるとすれば、ＳＰＳ周波数領域リソース設定情報Ａ及びＳＰＳ周波数領域リソース設定情報Ｂを１つのＰＤＣＣＨシグナリングに含ませる。
【０２７７】
当該方式によれば、好ましくは、各々ＳＰＳ構成に対して、ＳＰＳ構成に対応するＳＰＳ周波数領域リソースの時間領域におけるオフセットも含ませることができ、こうして、複数のＳＰＳ構成が時間領域においてずらされる。ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０２７８】
方式２: 基地局は、１つのＰＤＣＣＨシグナリングに、１組のＳＰＳ構成に対応するＳＰＳ周波数領域リソース設定情報を含ませる。
【０２７９】
例えば、ＳＰＳ周波数領域リソース設定情報Ａ及びＳＰＳ周波数領域リソース設定情報Ｂがあるとすれば、ＳＰＳ周波数領域リソース設定情報Ａを１つのＰＤＣＣＨシグナリングに含ませ、ＳＰＳ周波数領域リソース設定情報Ｂを他の１つのＰＤＣＣＨシグナリングに含ませる。
【０２８０】
当該方式によれば、ＰＤＣＣＨ内の内容に基づき、当該ＰＤＣＣＨが、当該サービス前のある組のＳＰＳ周波数領域リソースを再設定することであるか、当該サービスの他の１組のＳＰＳ構成の設定情報であるかを識別する。
【０２８１】
具体的に、基地局は、前記ＰＤＣＣＨシグナリングに、ＳＰＳ構成に対応するＳＰＳ構成インデックスを示すＳＰＳ構成インデックス情報が含まれることもできる。
【０２８２】
例えば、ＳＰＳ構成インデックスはＮビットであることができる。Ｎの値は、１つのサービスのＳＰＳ構成の組数によって決められ、例えば、１サービスに２組のＳＰＳ構成を必要とすると、Ｎの値を２ｂｉｔとする。００で第１組のＳＰＳ構成を識別し、０１で第１組のＳＰＳ構成の再設定を識別し、１０で第２組のＳＰＳ構成を識別し、１１で第２組のＳＰＳ構成の再設定を識別する。
【０２８３】
ステップ３：端末は、基地局により割り当てられた複数のＳＰＳ構成を確定する。
【０２８４】
端末は、ＲＲＣシグナリング及びＳＰＳを活性化するためのＰＤＣＣＨシグナリングを介して、同一のＳＰＳ Ｃ−ＲＮＴＩによってスクランブルされたＰＤＣＣＨシグナリングが同一のサービスに対するものであると確定する。
【０２８５】
端末は、ＰＤＣＣＨシグナリング内のＳＰＳ周波数領域リソース設定情報及びＲＲＣシグナリングにより設定されたＳＰＳ構成に対応するＳＰＳ周期に基づき、同一のサービスに対する複数のＳＰＳ構成を確定する。
【０２８６】
例えば、ＳＰＳ周波数領域リソース設定情報Ａ及びＳＰＳ周波数領域リソース設定情報Ｂがあるとすれば、ＳＰＳ周期１が含まれるＲＲＣシグナリング内のＳＰＳ Ｃ−ＲＮＴＩを、ＸＸとする。ＸＸによってスクランブルされたＰＤＣＣＨシグナリングに、ＳＰＳ周波数領域リソース設定情報Ａ及びＳＰＳ周波数領域リソース設定情報Ｂが含まれば、端末は、ＳＰＳ周波数領域リソース設定情報Ａ及びＳＰＳ周波数領域リソース設定情報Ｂが同一のサービスに対する複数のＳＰＳ構成であると確定し、かつ、ＳＰＳ周波数領域リソース設定情報Ａ及びＳＰＳ周波数領域リソース設定情報ＢのＳＰＳ周期はＳＰＳ周期１である。
【０２８７】
端末は、ＳＰＳ周期１及びＳＰＳ周波数領域リソース設定情報Ａに基づき、１組のＳＰＳ構成を確定し、ＳＰＳ周期１及びＳＰＳ周波数領域リソース設定情報Ｂに基づき、たの１組のＳＰＳ構成を確定する。
【０２８８】
ステップ４において、送信端は、複数のＳＰＳ構成から、端末に用いられる必要があるＳＰＳ構成を確定する。
【０２８９】
ここで、アップリンクサービスであれば、送信端は端末であり、受信端は基地局であり、ダウンリンクサービスであれば、送信端は基地局であり、受信端は端末である。
【０２９０】
複数のＳＰＳ構成が時間領域においてオーバーラップがなければ、送信端は、設定された全部のＳＰＳ周波数領域リソースを、使用可能のＳＰＳ周波数領域リソースとする。
【０２９１】
複数のＳＰＳ構成が時間領域においてオーバーラップがあれば、送信端は、下記規則のうちの１つに従って、時間領域におけるオーバーラップ位置を確定し、使用されるＳＰＳ周波数領域リソースを選択し、当該規則は、事前に設定されるか、基地局により通知されることができる。
【０２９２】
いつも最大のＳＰＳ周波数領域リソースブロックを選出する。
【０２９３】
実際のデータ伝送需要に応じて、対応のＳＰＳ周波数領域リソースブロックを選択する。
【０２９４】
いつも最小のＳＰＳ周波数領域リソースブロックを選出する。
【０２９５】
具体的に、Ｖ２Ｖを例とし、送信端において、同一のサービスに対して２組のＳＰＳ構成があり、送信端が、時間領域においてオーバーラップするＳＰＳ周波数領域リソースを、最大ＳＰＳ周波数領域リソースブロックに基づいて確定すれば、送信端により確定したＳＰＳ周波数領域リソースは、図２にしめすとおりである。
【０２９６】
Ｔ１位置及びＴ１+５００ｍｓ位置にＳＰＳ周波数領域リソースにおけるオーバーラップが存在し、最大ＳＰＳ周波数領域リソースブロックに基づき、ＳＰＳ構成２を選択する。他の位置にＳＰＳ周波数領域リソースにおけるオーバーラップが存在しないため、使用可能のＳＰＳ周波数領域リソースを選択する。
【０２９７】
ステップ５において、受信端は、ＳＰＳを検出する。
【０２９８】
複数のＳＰＳ構成が時間領域においてオーバーラップがあれば、受信端（ダウンリンクが基地局、アップリンクが端末を指す）は、下記規則に従って、時間領域においてオーバーラップする位置において、選出した使用されるＳＰＳ周波数領域リソースを確定する。実際のデータ伝送需要に応じて、対応のＳＰＳ周波数領域リソースブロックを選択する。
【０２９９】
受信端が送信端に用いられるＳＰＳ周波数領域リソースブロックサイズ（例えば、サービスモデル等情報に基づく）を予測できれば、予測した端末に用いられるＳＰＳ周波数領域リソースブロックサイズに基づいてＳＰＳデータを受信する。さもないと、複数のＳＰＳ構成をブラインド検出する。
【０３００】
送信端が時間領域におけるオーバーラップ位置において選出した使用されるＳＰＳ周波数領域リソースを確定できれば、受信端は、送信端に用いられるＳＰＳ周波数領域リソースを確定し、当該ＳＰＳ周波数領域リソースを直接に検出すればよい。
【０３０１】
ステップ６において、同一のサービスに対するＳＰＳ周波数領域リソースをリリースする。
【０３０２】
同一のサービスの異なるＳＰＳ周波数領域リソースのリリースが、暗示的なリリースであることができ、単独に行うことができる。明示的なリリースであれば、同時に行うことができる。
【０３０３】
即ち、アップリンクの場合
暗示的なリリース：１つのＳＰＳ構成に対し、端末は、前記ＳＰＳ構成に対応する周波数領域リソースにおいて、Ｎ個のデータ部分がないｐａｄｄｉｎｇ ＢＳＲを連続に用いて、ネットワーク装置に、リリース端末のために設定された前記ＳＰＳ構成を暗示的に通知する。
【０３０４】
明示的なリリース：基地局が、ＳＰＳ Ｃ−ＲＮＴＩによってスクランブルされたＰＤＣＣＨリリースにおいて、当該サービスのために設定された全部のアップリンクＳＰＳ周波数領域リソースである。
【０３０５】
ダウンリンクには、明示的なリリース方式のみをサポートし、即ち、基地局はＳＰＳ Ｃ−ＲＮＴＩによってスクランブルされたＰＤＣＣＨにより、当該サービスのために設定されたダウンリンクＳＰＳ周波数領域リソースをリリースする。
【０３０６】
実施例２：複数のＳＰＳ構成に対応するＳＰＳ周期が異なり、ＳＰＳ周波数領域リソースは同様である。
【０３０７】
ステップ１において、基地局は、同一のサービスＳＰＳ Ｃ−ＲＮＴＩ及び当該サービスに対する複数のＳＰＳ構成に対応するＳＰＳ周期を確定する。
【０３０８】
同一のサービス複数のＳＰＳ構成に対応するＳＰＳ周期が異なるため、ＳＰＳ周期は、ＲＲＣシグナリングに含まれることができず、ＳＰＳを活性化するためのＰＤＣＣＨシグナリングのみに含まれる。
【０３０９】
ステップ２において、基地局は、ＳＰＳを活性化するためのＰＤＣＣＨシグナリングを送信する。
【０３１０】
複数のＳＰＳ構成に対応するＳＰＳ周波数領域リソースが同様であるため、１つのＰＤＣＣＨシグナリングに、１組のＳＰＳ構成情報を含ませばよく、複数のＳＰＳ構成周期もともに含ませる。同一サービスに対する異なるＳＰＳ周期の複数のＳＰＳ構成を時間領域においてずらすため、各々ＳＰＳ構成に対して、ＳＰＳ構成に対応するＳＰＳ周波数領域リソースの時間領域におけるオフセットも含ませることができ、こうして、複数のＳＰＳ構成が時間領域においてずらされる。ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０３１１】
ステップ３において、端末は、基地局により割り当てられた複数のＳＰＳ構成を確定する。
【０３１２】
端末は、ＲＲＣシグナリング及びＳＰＳを活性化するためのＰＤＣＣＨシグナリングを介して、同一のＳＰＳ Ｃ−ＲＮＴＩによってスクランブルされたＰＤＣＣＨシグナリングが同一のサービスに対するものであると確定する。
【０３１３】
端末は、ＰＤＣＣＨシグナリング内のＳＰＳ周波数領域リソース設定情報及びＲＲＣシグナリングにより設定されたＳＰＳ構成に対応するＳＰＳ周期に基づき、同一のサービスに対する複数のＳＰＳ構成を確定する。
【０３１４】
例えば、ＳＰＳ周波数領域リソース設定情報Ａ、ＳＰＳ周期１及びＳＰＳ周期２を設定する。ＳＰＳ Ｃ−ＲＮＴＩをＸＸとする。ＸＸによってスクランブルされたＰＤＣＣＨシグナリングに、ＳＰＳ周波数領域リソース設定情報Ａ、ＳＰＳ周期１及びＳＰＳ周期２が含まれば、端末は、ＳＰＳ周波数領域リソース設定情報Ａ、ＳＰＳ周期１及びＳＰＳ周期２が同一のサービスに対する複数のＳＰＳ構成であると確定する。
【０３１５】
端末は、ＳＰＳ周期１及びＳＰＳ周波数領域リソース設定情報Ａに基づき、１組のＳＰＳ構成を確定し、ＳＰＳ周期２及びＳＰＳ周波数領域リソース設定情報Ａに基づき、たの１組のＳＰＳ構成を確定する。
【０３１６】
ここで、ネットワーク装置は、端末とサービス伝送を行おうとする場合、端末のために設定された複数のＳＰＳ構成を確定することもできる。ネットワーク装置が端末のために設定された複数のＳＰＳ構成を確定する方式は、ステップ３を参考することもできる。複数のＳＰＳ構成がネットワーク装置端末のために設定されたものであるため、ネットワーク装置は、複数のＳＰＳ構成から、どちらＳＰＳ構成が当該端末に対応するのかを確定することができる。
【０３１７】
説明すべきのは、ネットワーク装置により複数のＳＰＳ構成を確定する方式が多様であり、上述の内容は例に過ぎず、ネットワーク装置に、複数のＳＰＳ構成を確定させる方式であれば、本出願に係る実施例に適用できる。
【０３１８】
ステップ４において、送信端は、複数のＳＰＳ構成から、端末に用いられる必要があるＳＰＳ構成を確定する。
【０３１９】
ここで、アップリンクサービスであれば、送信端は端末であり、受信端は基地局であり、ダウンリンクサービスであれば、送信端は基地局であり、受信端は端末である。
【０３２０】
複数のＳＰＳ構成が時間領域においてオーバーラップがなければ、送信端は、設定された全部のＳＰＳ周波数領域リソースを、使用可能のＳＰＳ周波数領域リソースとする。
【０３２１】
複数のＳＰＳ構成が時間領域においてオーバーラップがあれば、送信端は、下記規則のうちの１つに従って、時間領域におけるオーバーラップ位置を確定し、使用されるＳＰＳ周波数領域リソースを選択し、当該規則は、事前に設定されるか、基地局により通知されることができる。
【０３２２】
いつも最大のＳＰＳ周波数領域リソースブロックを選出する。
【０３２３】
実際のデータ伝送需要に応じて、対応のＳＰＳ周波数領域リソースブロックを選択する。
【０３２４】
いつも最小のＳＰＳ周波数領域リソースブロックを選出する。
【０３２５】
具体的に、Ｖ２Ｖを例とし、送信端において、同一のサービスに対して２組のＳＰＳ構成があり、送信端が、時間領域においてオーバーラップするＳＰＳ周波数領域リソースを、最大ＳＰＳ周波数領域リソースブロックに基づいて確定すれば、送信端により確定したＳＰＳ周波数領域リソースは、図２に示すとおりである。
【０３２６】
Ｔ１位置及びＴ１+５００ｍｓ位置にＳＰＳ周波数領域リソースにおけるオーバーラップが存在し、最大ＳＰＳ周波数領域リソースブロックに基づき、ＳＰＳ構成２を選択する。他の位置にＳＰＳ周波数領域リソースにおけるオーバーラップが存在しないため、使用可能のＳＰＳ周波数領域リソースを選択する。
【０３２７】
ステップ５：受信端は、ＳＰＳを検出する。
【０３２８】
複数のＳＰＳ構成が時間領域においてオーバーラップがあれば、受信端（ダウンリンクが基地局、アップリンクが端末を指す）は、下記規則に従って、時間領域においてオーバーラップする位置において、選出した使用されるＳＰＳ周波数領域リソースを確定する。実際のデータ伝送需要に応じて、対応のＳＰＳ周波数領域リソースブロックを選択する。
【０３２９】
受信端が送信端に用いられるＳＰＳ周波数領域リソースブロックサイズ（例えば、サービスモデル等情報に基づく）を予測できれば、予測した端末に用いられるＳＰＳ周波数領域リソースブロックサイズに基づいてＳＰＳデータを受信する。さもないと、複数のＳＰＳ構成をブラインド検出する。
【０３３０】
送信端が時間領域におけるオーバーラップ位置において選出した使用されるＳＰＳ周波数領域リソースを確定できれば、受信端は、送信端に用いられるＳＰＳ周波数領域リソースを確定し、当該ＳＰＳ周波数領域リソースを直接に検出すればよい。
【０３３１】
ステップ６：同一のサービスに対するＳＰＳ周波数領域リソースをリリースする。
【０３３２】
同一のサービスの異なるＳＰＳ周波数領域リソースのリリースが、暗示的なリリースであることができ、単独に行うことができる。明示的なリリースであれば、同時に行うことができる。
【０３３３】
即ち、アップリンクの場合
暗示的なリリース：端末は、前記ＳＰＳ構成に対応する周波数領域リソースにおいて、Ｎ個のデータ部分がないｐａｄｄｉｎｇ ＢＳＲを連続に用いて、ネットワーク装置に、リリース端末のために設定された前記ＳＰＳ構成を暗示的に通知する。
【０３３４】
明示的なリリース：基地局が、ＳＰＳ Ｃ−ＲＮＴＩによってスクランブルされたＰＤＣＣＨリリースにおいて、当該サービスのために設定された全部のアップリンクＳＰＳ周波数領域リソースである。
【０３３５】
ダウンリンクには、明示的なリリース方式のみをサポートし、即ち、基地局はＳＰＳ Ｃ−ＲＮＴＩによってスクランブルされたＰＤＣＣＨにより、当該サービスのために設定されたダウンリンクＳＰＳ周波数領域リソースをリリースする。
【０３３６】
＜実施例３＞複数のＳＰＳ構成に対応するＳＰＳ周期が異なり、ＳＰＳ周波数領域リソースは異なる。
【０３３７】
ステップ１において、基地局は、同一のサービスＳＰＳ Ｃ−ＲＮＴＩ及び当該サービスに対する複数のＳＰＳ構成に対応するＳＰＳ周期を確定する。
【０３３８】
同一のサービス複数のＳＰＳ構成に対応するＳＰＳ周期が異なるため、ＳＰＳ周期は、ＲＲＣシグナリングに含まれることができ、また、ＰＤＣＣＨシグナリングには、周期とＳＰＳ周波数領域リソースの対応関係が含まれることができる。ただし、このような方式の効率が高くなくて、ＳＰＳのＰＤＣＣＨシグナリングに前記周期を含ませるように活性化させるほうが、効率が高い。
【０３３９】
ステップ２において、基地局は、ＳＰＳを活性化するためのＰＤＣＣＨシグナリングを送信する。
【０３４０】
ＰＤＣＣＨシグナリングは、以下のような２つの方式を有する。
【０３４１】
方式１: 基地局は、ＰＤＣＣＨシグナリングに、複数のＳＰＳ構成に対応するＳＰＳ周波数領域リソース設定情報を含ませる。
【０３４２】
例えば、ＳＰＳ周波数領域リソース設定情報Ａ及びＳＰＳ周波数領域リソース設定情報Ｂがあるとすれば、ＳＰＳ周波数領域リソース設定情報Ａ及びＳＰＳ周波数領域リソース設定情報Ｂを１つのＰＤＣＣＨシグナリングに含ませる。
【０３４３】
当該方式によれば、好ましくは、各々ＳＰＳ構成に対して、ＳＰＳ構成に対応するＳＰＳ周波数領域リソースの時間領域におけるオフセットも含ませることができ、こうして、複数のＳＰＳ構成が時間領域においてずらされる。ここで、前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示す。
【０３４４】
方式２: 基地局は、１つのＰＤＣＣＨシグナリングに、１組のＳＰＳ構成に対応するＳＰＳ周波数領域リソース設定情報を含ませる。
【０３４５】
例えば、ＳＰＳ周波数領域リソース設定情報Ａ及びＳＰＳ周波数領域リソース設定情報Ｂがあるとすれば、ＳＰＳ周波数領域リソース設定情報Ａを１つのＰＤＣＣＨシグナリングに含ませ、ＳＰＳ周波数領域リソース設定情報Ｂを他の１つのＰＤＣＣＨシグナリングに含ませる。
【０３４６】
当該方式によれば、ＰＤＣＣＨシグナリングに、ＳＰＳ周波数領域リソース設定のほか、当該リソース設定に対応するＳＰＳ周期も含まれるため、当該ＰＤＣＣＨが、当該サービス前のある１つのＳＰＳ周波数領域リソースを再設定するか、または、当該サービスのたの１つのＳＰＳ構成リソースを設定するかを、把握でき、特別な指示が要らない。
【０３４７】
ステップ３において、端末は、基地局により割り当てられた複数のＳＰＳ構成を確定する。
【０３４８】
端末は、ＲＲＣシグナリング及びＳＰＳを活性化するためのＰＤＣＣＨシグナリングを介して、同一のＳＰＳ Ｃ−ＲＮＴＩによってスクランブルされたＰＤＣＣＨシグナリングが同一のサービスに対するものであると確定する。
【０３４９】
端末は、ＰＤＣＣＨシグナリング内のＳＰＳ周波数領域リソース設定情報及びＲＲＣシグナリングにより設定されたＳＰＳ構成に対応するＳＰＳ周期に基づき、同一のサービスに対する複数のＳＰＳ構成を確定する。
【０３５０】
例えば、ＳＰＳ周波数領域リソース設定情報ＡとＳＰＳ周期１、及びＳＰＳ周波数領域リソース設定情報ＢとＳＰＳ周期２の２組のＳＰＳ周波数領域リソースを設定し、ＲＲＣシグナリング内のＳＰＳ Ｃ−ＲＮＴＩをＸＸとする。ＸＸによってスクランブルされたＰＤＣＣＨシグナリングに、ＳＰＳ周波数領域リソース設定情報ＡとＳＰＳ周期１、及びＳＰＳ周波数領域リソース設定情報ＢとＳＰＳ周期１が含まれば、端末のＳＰＳ周波数領域リソース設定情報ＡとＳＰＳ周期１、及びＳＰＳ周波数領域リソース設定情報ＢとＳＰＳ周期１は、同一のサービスに対する複数のＳＰＳ構成であり、かつ、ＳＰＳ周波数領域リソース設定情報ＡのＳＰＳ周期がＳＰＳ周期１であり、ＳＰＳ周波数領域リソース設定情報ＢのＳＰＳ周期がＳＰＳ周期２である。
【０３５１】
端末は、ＳＰＳ周期１及びＳＰＳ周波数領域リソース設定情報Ａに基づき、１組のＳＰＳ構成を確定し、ＳＰＳ周期２及びＳＰＳ周波数領域リソース設定情報Ｂに基づき、たの１組のＳＰＳ構成を確定する。
【０３５２】
ここで、ネットワーク装置は、端末と、サービス伝送を行う場合、端末のために設定された複数のＳＰＳ構成を確定することもできる。ネットワーク装置が端末のために設定された複数のＳＰＳ構成を確定する方式は、ステップ３を参考することもできる。複数のＳＰＳ構成がネットワーク装置端末のために設定されたものであるため、ネットワーク装置は、複数のＳＰＳ構成から、どちらＳＰＳ構成が当該端末に対応するのかを確定することができる。
【０３５３】
説明すべきのは、ネットワーク装置により複数のＳＰＳ構成を確定する方式が多様であり、上述の内容は例に過ぎず、ネットワーク装置に、複数のＳＰＳ構成を確定させる方式であれば、本出願に係る実施例に適用できる。
【０３５４】
ステップ４において、送信端は、複数のＳＰＳ構成から、端末に用いられる必要があるＳＰＳ構成を確定する。
【０３５５】
ここで、アップリンクサービスであれば、送信端は端末であり、受信端は基地局であり、ダウンリンクサービスであれば、送信端は基地局であり、受信端は端末である。
【０３５６】
複数のＳＰＳ構成が時間領域においてオーバーラップがなければ、送信端は、設定された全部のＳＰＳ周波数領域リソースを、使用可能のＳＰＳ周波数領域リソースとする。
【０３５７】
複数のＳＰＳ構成が時間領域においてオーバーラップがあれば、送信端は、下記規則のうちの１つに従って、時間領域におけるオーバーラップ位置を確定し、使用されるＳＰＳ周波数領域リソースを選択し、当該規則は、事前に設定されるか、基地局により通知されることができる。
*  いつも最大のＳＰＳ周波数領域リソースブロックを選出する。
*  実際のデータ伝送需要に応じて、対応のＳＰＳ周波数領域リソースブロックを選択する。
*  いつも最小のＳＰＳ周波数領域リソースブロックを選出する。
【０３５８】
具体的に、Ｖ２Ｖを例とし、送信端において、同一のサービスに対して２組のＳＰＳ構成があり、送信端が、時間領域においてオーバーラップするＳＰＳ周波数領域リソースを、最大ＳＰＳ周波数領域リソースブロックに基づいて確定すれば、送信端により確定したＳＰＳ周波数領域リソースは、図２にしめすとおりである。
【０３５９】
Ｔ１位置及びＴ１+５００ｍｓ位置にＳＰＳ周波数領域リソースにおけるオーバーラップが存在し、最大ＳＰＳ周波数領域リソースブロックに基づき、ＳＰＳ構成２を選択する。他の位置にＳＰＳ周波数領域リソースにおけるオーバーラップが存在しないため、使用可能のＳＰＳ周波数領域リソースを選択する。
【０３６０】
ステップ５において、受信端は、ＳＰＳを検出する。
【０３６１】
複数のＳＰＳ構成が時間領域においてオーバーラップがあれば、受信端（ダウンリンクが基地局、アップリンクが端末を指す）は、下記規則に従って、時間領域においてオーバーラップする位置において、選出した使用されるＳＰＳ周波数領域リソースを確定する。実際のデータ伝送需要に応じて、対応のＳＰＳ周波数領域リソースブロックを選択する。
【０３６２】
受信端が送信端に用いられるＳＰＳ周波数領域リソースブロックサイズ（例えば、サービスモデル等情報に基づく）を予測できれば、予測した端末に用いられるＳＰＳ周波数領域リソースブロックサイズに基づいてＳＰＳデータを受信する。さもないと、複数のＳＰＳ構成をブラインド検出する。
【０３６３】
送信端が時間領域におけるオーバーラップ位置において選出した使用されるＳＰＳ周波数領域リソースを確定できれば、受信端は、送信端に用いられるＳＰＳ周波数領域リソースを確定し、当該ＳＰＳ周波数領域リソースを直接に検出すればよい。
【０３６４】
ステップ６において、同一のサービスに対するＳＰＳ周波数領域リソースをリリースする。
【０３６５】
同一のサービスの異なるＳＰＳ周波数領域リソースのリリースが、暗示的なリリースであることができ、単独に行うことができる。明示的なリリースであれば、同時に行うことができる。即ち、
*アップリンクの場合
暗示的なリリース：１つのＳＰＳ構成に対し、端末は、前記ＳＰＳ構成に対応する周波数領域リソースにおいて、Ｎ個のデータ部分がないｐａｄｄｉｎｇ ＢＳＲを連続に用いて、ネットワーク装置に、リリース端末のために設定された前記ＳＰＳ構成を暗示的に通知する。
【０３６６】
明示的なリリース：基地局が、ＳＰＳ Ｃ−ＲＮＴＩによってスクランブルされたＰＤＣＣＨリリースにおいて、当該サービスのために設定された全部のアップリンクＳＰＳ周波数領域リソースである。
【０３６７】
ダウンリンクには、明示的なリリース方式のみをサポートし、即ち、基地局はＳＰＳ Ｃ−ＲＮＴＩによってスクランブルされたＰＤＣＣＨにより、当該サービスのために設定されたダウンリンクＳＰＳ周波数領域リソースをリリースする。
【０３６８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０３６９】
また、ソフトウェア及び/またはファームウェア（ファームウェア、駐留ソフトウェア、マイクロコード等を含む）によって本出願を実施することができる。これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。。
【０３７０】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【０３７１】
本出願は、２０１６年０３月１５日に中国特許局に提出し、出願番号が２０１６１０１４６５３０.６であり、発明名称が「セミパーシステントスケジューリングを設定・確定する方法及び装置」との中国特許出願を基礎とする優先権を主張し、その開示の総てをここに取り込む。
【符号の説明】
【０３７２】
１０   ネットワーク装置
２０   端末
３００ 第１識別子確定モジュール
３０１ 処理モジュール
４００ 第２識別子確定モジュール
４０１ 受信モジュール
４０２ 構成確定モジュール
５００ バス
５０１ プロセッサ
５０２ 送受信機
５０３ バスインターフェース
５０４ メモリ
５０５ アンテナ
６００ バス
６０１ プロセッサ
６０２ 送受信機
６０３ バスインターフェース
６０４ メモリ
６０５ ユーザーインターフェース
【図１】
2019509692.tif 000003
【図２】
2019509692.tif 000004
【図３】
2019509692.tif 000005
【図４】
2019509692.tif 000006
【図５】
2019509692.tif 000007
【図６】
2019509692.tif 000008
【図７】
2019509692.tif 000009
【図８】
2019509692.tif 000010
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ネットワーク装置は、複数のセミパーシステントスケジューリングＳＰＳ構成に対応するＳＰＳＣ−ＲＮＴＩＣ−ＲＮＴＩを確定するステップと、
前記ネットワーク装置ＳＰＳ Ｃ−ＲＮＴＩによってスクランブルされた物理ダウンリンク制御チャネル（ＰＤＣＣＨ）シグナリングを介して、複数のＳＰＳ構成に対応するＳＰＳ周期および/または複数のＳＰＳ構成に対応するＳＰＳ周波数領域リソース設定情報を端末に送信するステップとを備えることを特徴とするセミパーシステントスケジューリングを設定する方法。
【請求項２】
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信し、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、
前記ネットワーク装置は、無線リソース制御ＲＲＣシグナリングを介して、複数のＳＰＳ構成それぞれに対応するＳＰＳ周期を端末に送信することを特徴とする請求項１に記載のセミパーシステントスケジューリングを設定する方法。
【請求項３】
前記ネットワーク装置は、ＲＲＣシグナリングを介して、複数のＳＰＳ構成それぞれに対応するＳＰＳ周期を端末に送信する場合、
同様なＳＰＳ周期であれば、前記ネットワーク装置は、ＲＲＣシグナリングごとに前記同様なＳＰＳ周期を含ませることを特徴とする請求項２に記載のセミパーシステントスケジューリングを設定する方法。
【請求項４】
全部または一部のＳＰＳ構成に対応するＳＰＳ周期は同様であり、
前記ネットワーク側装置は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、
同様なＳＰＳ周期であれば、前記ネットワーク装置は、ＰＤＣＣＨシグナリングごとに、１つの前記同様なＳＰＳ周期を含ませ、
及び/または、
全部または一部のＳＰＳ構成に対応するＳＰＳ周期は同様であり、
前記ネットワーク側装置は、ＳＰＳ Ｃ−ＲＮＴＩによってスクランブルされたＰＤＣＣＨシグナリングを介して、複数のＳＰＳ構成それぞれに対応するＳＰＳ周期を端末に送信する前、
同様なＳＰＳ周期であれば、前記ネットワーク装置は、ＰＤＣＣＨシグナリングごとに、１つの前記同様なＳＰＳ周期を含ませることを特徴とする請求項１に記載のセミパーシステントスケジューリングを設定する方法。
【請求項５】
全部または一部のＳＰＳ構成に対応するＳＰＳ周波数領域リソース設定情報は同様であり、
前記ネットワーク側装置は、ＳＰＳ Ｃ−ＲＮＴＩによってスクランブルされたＰＤＣＣＨシグナリングを介して、複数のＳＰＳ構成に対応するＳＰＳ周波数領域リソース設定情報を端末に送信する前、
同様なＳＰＳ周波数領域リソース設定情報に対し、前記ネットワーク装置は、ＰＤＣＣＨシグナリングごとに、１つの前記同様なＳＰＳ周波数領域リソース設定情報を含ませることを特徴とする請求項１に記載のセミパーシステントスケジューリングを設定する方法。
【請求項６】
前記ネットワーク装置が、複数のＳＰＳ構成に対応するＳＰＳ周波数領域リソース設定情報を端末に送信する前、
前記ネットワーク装置は、前記ＰＤＣＣＨシグナリングに、ＳＰＳ構成に対応するＳＰＳ構成インデックスを示すＳＰＳ構成インデックス情報を含ませることを特徴とする請求項１ないし請求項５のいずれか１項に記載のセミパーシステントスケジューリングを設定する方法。
【請求項７】
前記ネットワーク装置が、複数のＳＰＳ構成に対応するＳＰＳ周波数領域リソース設定情報を端末に送信する場合、
１組のＳＰＳ構成に対し、前記ネットワーク装置は、当該組のＳＰＳ構成に対応するＳＰＳ周波数領域リソース設定情報的が含まれるＰＤＣＣＨシグナリングに、前記ＳＰＳ構成に対応するＳＰＳ周波数領域リソースの時間領域におけるオフセットを追加し、
前記ＳＰＳ構成に対応するＳＰＳ周波数領域リソースの時間領域におけるオフセットは、前記ＳＰＳ構成の発効時刻の、前記ＳＰＳ構成に対応するＳＰＳ周波数領域リソースオフセットが含まれるＰＤＣＣＨシグナリング受信時刻に対する時間領域におけるオフセットを示すことを特徴とする請求項１ないし請求項５のいずれか１項に記載のセミパーシステントスケジューリングを設定する方法。
【請求項８】
前記ネットワーク装置が、複数のＳＰＳ構成に対応するＳＰＳ周波数領域リソース設定情報を端末に送信した後、
前記ネットワーク装置は、ＳＰＳ Ｃ−ＲＮＴＩによってスクランブルされた少なくとも１つのＰＤＣＣＨシグナリングを介して、端末のために設定した複数のＳＰＳ構成をリリースし、
及び/または、
前記ネットワーク装置が、複数のＳＰＳ構成に対応するＳＰＳ周波数領域リソース設定情報を端末に送信した後、
前記ＳＰＳ構成は、アップリンクＳＰＳ構成であり、各々ＳＰＳ構成に対し、前記ネットワーク装置は、前記ＳＰＳ構成に対応するリソースにおいて、連続Ｎ個のデータ部分がないｐａｄｄｉｎｇバッファ状態報告（ＢＳＲ）を受信した後、前記ＳＰＳ構成をリリースすることを特徴とする請求項１ないし請求項５のいずれか１項に記載のセミパーシステントスケジューリングを設定する方法。
【請求項９】
前記ネットワーク装置が、複数のＳＰＳ構成に対応するＳＰＳ周波数領域リソース設定情報を端末に送信した後、
前記複数のＳＰＳ構成が時間領域においてオーバーラップがなければ、前記ネットワーク装置は、前記複数のＳＰＳ構成を、前記端末に用いられる必要があるＳＰＳ構成とし、
前記複数のＳＰＳ構成が時間領域においてオーバーラップがあれば、前記ネットワーク装置は、所定の選出条件にしたがって、前記複数のＳＰＳ構成から、確定前記端末に用いられる必要があるＳＰＳ構成を確定し、
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項１ないし請求項５のいずれか１項に記載のセミパーシステントスケジューリングを設定する方法。
【請求項１０】
端末は、複数のＳＰＳ構成に対応するＳＰＳ Ｃ−ＲＮＴＩを確定するステップと、
前記端末は、ＳＰＳ Ｃ−ＲＮＴＩによってスクランブルされたＰＤＣＣＨシグナリングをネットワーク側装置から受信するステップと、
前記端末は、前記ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した複数のＳＰＳ構成に対応する情報に基づき、複数のＳＰＳ構成を確定するステップとを備えることを特徴とするセミパーシステントスケジューリングを確定する方法。
【請求項１１】
前記端末は、前記ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周波数領域リソース設定情報を確定し、
前記端末が確定した情報に基づき、複数のＳＰＳ構成を確定する前、
前記端末は、ＲＲＣシグナリングを介して、ネットワーク装置により前記端末のために設定した複数のＳＰＳ構成に対応するＳＰＳ周期を確定することを特徴とする請求項１０に記載のセミパーシステントスケジューリングを確定する方法。
【請求項１２】
前記端末が複数のＳＰＳ構成を確定した後、
前記複数のＳＰＳ構成が時間領域においてオーバーラップがなければ、前記端末は、前記複数のＳＰＳ構成を、前記端末に用いられる必要があるＳＰＳ構成とし、
前記複数のＳＰＳ構成が時間領域においてオーバーラップがあれば、前記端末は、所定の選出条件にしたがって、前記複数のＳＰＳ構成から、前記端末に用いられる必要があるＳＰＳ構成を確定し、
前記選出条件は、下記条件のうちの１つであり、
最大のＳＰＳ周波数領域リソースブロックを選出し、
最小のＳＰＳ周波数領域リソースブロックを選出し、
伝送すべきのデータに応じて、ＳＰＳ周波数領域リソースブロックを選出することを特徴とする請求項１０に記載のセミパーシステントスケジューリングを確定する方法。
【請求項１３】
前記端末が複数のＳＰＳ構成を確定した後、
前記ＳＰＳ構成は、アップリンクＳＰＳ構成であり、
各々ＳＰＳ構成に対し、前記端末は、前記ＳＰＳ構成のリソースにおいて、前記ネットワーク装置に前記ＳＰＳ構成をリリースさせるように、連続Ｎ個のデータ部分がないｐａｄｄｉｎｇ ＢＳＲを前記ネットワーク装置に送信することを特徴とする請求項１０ないし請求項１２のいずれか１項に記載のセミパーシステントスケジューリングを確定する方法。
【請求項１４】
複数のＳＰＳ構成に対応するＳＰＳ Ｃ−ＲＮＴＩを確定する第１識別子確定モジュールと、
ＳＰＳ Ｃ−ＲＮＴＩによってスクランブルされたＰＤＣＣＨシグナリングを介して、複数のＳＰＳ構成に対応するＳＰＳ周期および/または複数のＳＰＳ構成に対応するＳＰＳ周波数領域リソース設定情報を端末に送信する処理モジュールとを備えることを特徴とするセミパーシステントスケジューリングを設定するネットワーク装置。
【請求項１５】
複数のＳＰＳ構成に対応するＳＰＳ Ｃ−ＲＮＴＩを確定する第２識別子確定モジュールと、
ネットワーク装置からＳＰＳ Ｃ−ＲＮＴＩによってスクランブルされたＰＤＣＣＨシグナリングを受信する受信モジュールと、
ＳＰＳ Ｃ−ＲＮＴＩによってスクランブルされたＰＤＣＣＨシグナリングに基づき、前記ネットワーク装置により前記端末のために設定した複数のＳＰＳ構成に対応するＳＰＳ周期及び/またはＳＰＳ周波数領域リソース設定情報を確定し、かつ、確定した情報に基づき複数のＳＰＳ構成を確定する構成確定モジュールとを備えることを特徴とするセミパーシステントスケジューリングを確定する端末。 
【国際調査報告】
2019509692.tif 000011
2019509692.tif 000012
2019509692.tif 000013
2019509692.tif 000014